(57)【要約】  【課題】ホログラムにおけるコピープロテクションの機能を向上させる。  【解決手段】画像記録媒体は、屈折率変調により情報の記録されたホログラム記録層と、少なくとも一部にホログラム記録層との界面を有する再生色調整層とを備える。【選択図】図１
2013160785.tif 000002
【特許請求の範囲】
【請求項１】
屈折率変調により情報の記録されたホログラム記録層と、
少なくとも一部に前記ホログラム記録層との界面を有する再生色調整層と
を備える画像記録媒体。
【請求項２】
前記再生色調整層が、放射線硬化樹脂層である請求項１に記載の画像記録媒体。
【請求項３】
前記放射線硬化樹脂層が、紫外線硬化樹脂層である請求項２に記載の画像記録媒体。
【請求項４】
前記ホログラム記録層が、可視光領域外の波長帯の光の照射により再生される情報を含む請求項１に記載の画像記録媒体。
【請求項５】
前記再生色調整層が、パターニングのされた層である請求項１に記載の画像記録媒体。
【請求項６】
前記ホログラム記録層と前記再生色調整層との間の剥離強度の差によりパターニングがなされる請求項５に記載の画像記録媒体。
【請求項７】
前記ホログラム記録層に対して、前記再生色調整層の配置される側とは反対側に配置される保護層をさらに備え、
前記ホログラム記録層の破断強度に対して、前記ホログラム記録層と前記再生色調整層との間の剥離強度が小とされるとともに、前記保護層と前記ホログラム記録層との間の剥離強度が大とされる第１の領域と、
前記ホログラム記録層の破断強度に対して、前記ホログラム記録層と前記再生色調整層との間の剥離強度が大とされるとともに、前記保護層と前記ホログラム記録層との間の剥離強度が小とされる第２の領域と
を備える請求項６に記載の画像記録媒体。
【請求項８】
前記再生色調整層の有無によりパターニングがなされる請求項５に記載の画像記録媒体。
【請求項９】
前記再生色調整層に対して、前記ホログラム記録層の配置される側とは反対側に配置される貼合層をさらに備え、
前記ホログラム記録層の少なくとも一部が、前記貼合層と接する請求項８に記載の画像記録媒体。
【請求項１０】
前記再生色調整層が、着色剤を含有する請求項１に記載の画像記録媒体。
【発明の詳細な説明】
【技術分野】
【０００１】
本開示は、画像記録媒体に関する。本開示は、特に、コピープロテクションの機能が向上されたホログラム記録媒体に関する。
【背景技術】
【０００２】
立体表示が可能なホログラムは、クレジットカード、身分証明書などの真贋判定のために使用されている。ホログラムの中でも、近年では、干渉パターンを記録層内部の屈折率の差として記録する体積型ホログラムが使用されることが多い。これは、体積型ホログラムの製造において、記録材料の入手が困難であるとともに、記録画像の制作に高度な技術が要求されるからである。
【０００３】
体積型ホログラムは、例えば、ホログラムが記録された原版（以下、オリジナル原版と適宜称する。）に対してホログラム用記録材料を密着または近接させ、オリジナル原版およびホログラム用記録材料に対してレーザ光を照射することにより、製造（量産）することができる。原版に記録されたホログラムをレーザ光により再生させ、原版に密着または近接させたホログラム用記録材料にホログラムを複製する手法は、コンタクトコピーと呼ばれる。
【０００４】
コンタクトコピーの手法によれば、真正に製造された体積型ホログラムに対して未露光のホログラム用記録材料を近接させ、記録波長と近い波長のレーザ光を照射することにより、体積型ホログラムの不正な複製が不可能ではない。そのため、真正に製造された体積型ホログラムが、コピープロテクションの機能を備えていることが望まれる。
【０００５】
体積型ホログラムに対して、コピープロテクションの機能を与える方法として、例えば、下記の特許文献１には、ホログラム記録層より観察者側に、部分的にパターニングされた光機能性フィルムを被着することが提案されている。
【先行技術文献】
【特許文献】
【０００６】
【特許文献１】特開２０１０−２１７８６４号公報
【発明の概要】
【発明が解決しようとする課題】
【０００７】
ホログラムにおけるコピープロテクションの機能の向上が望まれている。
【課題を解決するための手段】
【０００８】
本開示の第１の好ましい実施態様は、
画像記録媒体が、屈折率変調により情報の記録されたホログラム記録層と、少なくとも一部にホログラム記録層との界面を有する再生色調整層とを備える。
【０００９】
本開示では、屈折率変調により情報の記録されたホログラム記録層に隣接して、画像記録媒体の観察者とは反対の側に再生色調整層が形成される。再生色調整層の硬化前においては、ホログラム記録層と再生色調整層との界面において、ホログラム記録層に対するケミカルアタックが生じる。ケミカルアタックにより、ホログラム記録層に記録された情報を再生させたときの再生色に変化が生じる。ホログラム記録層に記録された情報を再生させたときの再生色の変化は、再生色調整層の硬化が完了することにより停止される。言い換えれば、再生色調整層の硬化までの時間が制御されることにより、ホログラム記録層に記録された情報を再生させたときの再生色の変化が制御される。
【００１０】
本開示において、「色み」というときには、「色み」は、可視光領域波長の光から知覚される色みに限定されないものとする。すなわち、本開示における「色み」には、紫外領域の波長帯および赤外領域の波長帯など、人の視覚によっては直接的には認識できない“色み”も含まれるものとする。したがって、本開示における「再生色」には、紫外領域の波長帯または赤外領域の波長帯の光の照射などによって、人の目や撮像装置などにより確認できるような“色み”も含まれる。
【発明の効果】
【００１１】
少なくとも１つの実施例によれば、ホログラムにおけるコピープロテクションの機能を向上させることができる。
【図面の簡単な説明】
【００１２】
【図１】図１Ａは、本開示の第１の実施形態にかかる画像記録媒体の構成の一例を示す断面図である。図１Ｂは、本開示の第１の実施形態にかかる画像記録媒体の構成の一例を示す平面図である。
【図２】図２Ａ〜図２Ｃは、光重合型フォトポリマの感光プロセスを示す略線図である。
【図３】図３Ａ〜図３Ｃは、第１の実施形態にかかる画像記録媒体の製造方法の一例の説明に使用する略線図である。
【図４】図４Ａ〜図４Ｄは、第１の実施形態にかかる画像記録媒体の製造方法の一例の説明に使用する略線図である。
【図５】図５Ａ〜図５Ｃは、第１の実施形態にかかる画像記録媒体の製造方法の一例の説明に使用する略線図である。
【図６】図６Ａ〜図６Ｄは、第１の実施形態にかかる画像記録媒体の製造方法の一例の説明に使用する略線図である。
【図７】図７Ａは、コンタクトコピーの説明に使用する略線図である。図７Ｂは、本開示の画像記録媒体を原版とする不正なコンタクトコピーを行ったときの干渉パターンの記録の説明に使用する略線図である。図７Ｃは、本開示の画像記録媒体からの再生像を模式的に示す平面図である。図７Ｄは、本開示の画像記録媒体を原版とする不正なコンタクトコピーがなされた記録媒体からの再生像を模式的に示す平面図である。
【図８】図８Ａは、本開示の第２の実施形態にかかる画像記録媒体の構成の一例を示す断面図である。図８Ｂは、オリジナル原版に記録されたホログラム画像の複製後のホログラム記録層から観察されるホログラム画像の一例を示す平面図である。図８Ｃは、再生色調整層の形成の際に使用される刷版の一例を示す平面図である。図８Ｄは、完成後の画像記録媒体から観察されるホログラム画像の一例を示す平面図である。
【図９】図９Ａは、本開示の第３の実施形態にかかる画像記録媒体の構成の一例を示す断面図である。図９Ｂは、図９Ａに示すホログラムラベルを被着体から剥離しようとしたときのホログラムラベルの断面を示す模式図である。図９Ｃは、本開示の第３の実施形態にかかる画像記録媒体の構成の一例を示す平面図である。図９Ｄは、本開示の第３の実施形態にかかる画像記録媒体に付与されたタンパーエビデントの機能を説明するための図である。
【図１０】図１０Ａは、本開示の第４の実施形態にかかる画像記録媒体の構成の一例を示す断面図である。図１０Ｂは、本開示の第４の実施形態にかかる画像記録媒体の構成の一例を示す平面図である。図１０Ｃは、画像記録媒体のうち、ホログラム記録層および再生色調整層のみを分離して模式的に示した略線図である。図１０Ｄは、図１０Ｂの状態から視点を変化させた状態で、図１０Ｂに示す画像記録媒体を観察したときに観察される画像の一例を示す図である。
【図１１】図１１Ａは、画像情報として文字の配列の記録された画像記録媒体の例を示す平面図である。図１１Ｂは、画像記録媒体のうち、ホログラム記録層および再生色調整層のみを分離して模式的に示した略線図である。図１１Ｃは、図１１Ａの状態から視点を変化させた状態で、図１１Ａに示す画像記録媒体を観察したときに観察される画像の一例を示す図である。
【図１２】図１２Ａは、画像情報として二次元バーコードの記録された画像記録媒体の例を示す平面図である。図１２Ｂは、図１２Ａの状態から視点を変化させた状態で、図１２Ａに示す画像記録媒体を観察したときに観察される画像の一例を示す図である。
【図１３】図１３Ａは、本開示の第５の実施形態にかかる画像記録媒体の構成の一例を示す断面図である。図１３Ｂは、本開示の第５の実施形態にかかる画像記録媒体の構成の一例を示す平面図である。図１３Ｃおよび図１３Ｄは、第５の実施形態にかかる画像記録媒体の製造方法の一例の説明に使用する略線図である。
【図１４】図１４Ａおよび図１４Ｂは、第５の実施形態にかかる画像記録媒体の製造方法の一例の説明に使用する略線図である。図１４Ｃは、所定の角度方向からの紫外光の照明のもとにおいて、本開示の第５の実施形態にかかる画像記録媒体の第１の変形例から再生される画像の一例を示す平面図である。
【図１５】図１５Ａは、本開示の第５の実施形態にかかる画像記録媒体の第２の変形例を示す断面図である。図１５Ｂおよび図１５Ｃは、本開示の第５の実施形態にかかる画像記録媒体の第２の変形例を示す平面図である。
【図１６】図１６Ａ〜図１６Ｃは、本開示の実施形態にかかる画像記録媒体が適用されたパーソナルコンピュータを示す斜視図である。
【図１７】図１７Ａは、サンプル１−１〜サンプル１−８の輝度Ｙの測定値をそれぞれ示すグラフである。図１７Ｂは、サンプル１−１〜サンプル１−８の色度の測定結果に対応する点を、ＣＩＥが定めるＹｘｙ表色系の色度図上に示した図である。
【図１８】図１８Ａは、サンプル２−１〜サンプル２−５の輝度Ｙの測定値をそれぞれ示すグラフである。図１８Ｂは、サンプル２−１〜サンプル２−５の色度の測定結果に対応する点を、ＣＩＥが定めるＹｘｙ表色系の色度図上に示した図である。
【図１９】図１９Ａは、サンプル３−１〜サンプル３−３の輝度Ｙの測定値をそれぞれ示すグラフである。図１９Ｂは、サンプル３−１〜サンプル３−３の色度の測定結果に対応する点を、ＣＩＥが定めるＹｘｙ表色系の色度図上に示した図である。
【発明を実施するための形態】
【００１３】
以下、画像記録媒体の実施形態について説明する。説明は、以下の順序で行う。
＜１．第１の実施形態＞
［１−１．画像記録媒体の概略的構成］
（１−１−１．ホログラム記録層）
（１−１−２．再生色調整層）
（１−１−３．保護層）
（１−１−４．中間接着層）
（１−１−５．基材層）
（１−１−６．接着層）
（１−１−７．セパレータ）
［１−２．画像記録媒体の製造方法の一例］
（１−２−１．再生色調整層のパターニング形成の第１の例）
（１−２−２．再生色調整層のパターニング形成の第２の例）
［１−３．コピープロテクション］
＜２．第２の実施形態＞
［２−１．画像記録媒体の概略的構成］
（２−１−１．再生色調整層）
［２−２．画像記録媒体の製造方法の一例］
（２−２−１．再生色調整層のパターニング形成の例）
＜３．第３の実施形態＞
［３−１．画像記録媒体の概略的構成］
（３−１−１．再生色調整層）
＜４．第４の実施形態＞
［４−１．画像記録媒体の概略的構成］
（４−１−１．再生色調整層）
＜５．第５の実施形態＞
［５−１．画像記録媒体の概略的構成］
［５−２．画像記録媒体の製造方法の一例］
［５−３．画像記録媒体の第１の変形例］
［５−４．画像記録媒体の第２の変形例］
［５−５．画像記録媒体の応用例］
＜６．変形例＞
【００１４】
なお、以下に説明する実施形態は、画像記録媒体の好適な具体例である。以下の説明においては、技術的に好ましい種々の限定が付されているが、特に本開示を限定する旨の記載がない限り、画像記録媒体の例は、以下に示す実施形態に限定されないものとする。
【００１５】
＜１．第１の実施形態＞
［１−１．画像記録媒体の概略的構成］
図１Ａは、本開示の第１の実施形態にかかる画像記録媒体の構成の一例を示す断面図である。図１Ｂは、本開示の第１の実施形態にかかる画像記録媒体の構成の一例を示す平面図である。図１Ａは、図１ＢのＩ−Ｉ断面に対応する図である。
【００１６】
図１Ａに示すように、第１の実施形態にかかる画像記録媒体１は、ホログラム記録層３と、再生色調整層５とを備えている。ホログラム記録層３には、屈折率変調により、情報が記録されている。再生色調整層５の少なくとも一部は、ホログラム記録層３との界面を有している。
【００１７】
画像記録媒体１の観察者は、画像記録媒体１が所定の方向から照明されることにより、図１Ｂに示すように、ホログラム記録層３に記録された情報を観察することができる。図１Ｂでは、ホログラム記録層のうち、ホログラム画像の記録された部分を白色により示した。
【００１８】
画像記録媒体１が再生色調整層５を備えるため、図１Ｂに示すように、画像記録媒体１は、画像記録媒体１の観察者に観察される画像において、色みの異なる複数の領域を有している。図１Ｂでは、ホログラム画像において再生色の異なる領域を、白色および網掛けにより区別した。
【００１９】
以下、図１Ａおよび図１Ｂを参照しながら、ホログラム記録層３および再生色調整層５について順に説明する。
【００２０】
（１−１−１．ホログラム記録層）
ホログラム記録層３は、情報がホログラフィックに記録される層である。ホログラム記録層３は、具体的には、例えば、光重合型フォトポリマからなるフォトポリマ層である。すなわち、情報の記録されたホログラム記録層３は、屈折率変調により情報が記録された体積型ホログラムの層である。
【００２１】
図２Ａ〜図２Ｃは、光重合型フォトポリマの感光プロセスを示す略線図である。光重合型フォトポリマは、初期状態では、図２Ａに示すように、モノマＭがマトリクスポリマに均一に分散している。
【００２２】
図２Ｂに示すように、光重合型フォトポリマに対して１０〜４００ｍＪ／ｃｍ2程度のパワーの光ＬＡを照射すると、露光部においてモノマＭが重合する。そして、ポリマ化するにつれて周囲からモノマＭが移動してモノマＭの濃度が場所によって変化し、これにより、屈折率変調が生じる。
【００２３】
この後、図２Ｃに示すように、１０００ｍＪ／ｃｍ2程度のパワーの光ＬＢを光重合型フォトポリマの全面に照射することにより、モノマＭの重合が完了する。１０００ｍＪ／ｃｍ2程度のパワーの光ＬＢは、例えば、紫外線や可視光である。
【００２４】
このように、光重合型フォトポリマは、入射された光に応じて屈折率が変化するので、参照光と物体光との干渉によって生じる干渉パターンを、屈折率の変化として記録することができる。光重合型フォトポリマを用いた画像記録媒体１は、露光後に特別な現像処理を施す必要がない。そのため、画像記録媒体１に光重合型フォトポリマを用いることにより、ホログラム複製装置の構成を簡略化することができる。
【００２５】
（１−１−２．再生色調整層）
再生色調整層５は、例えば、画像記録媒体１を被着体に貼りつけるための接着層とホログラム記録層３との間に配置される層である。再生色調整層５の少なくとも一部は、例えば、図１Ａに示すように、ホログラム記録層３と接している。
【００２６】
ホログラム記録層３と隣接して再生色調整層５を配置することにより、画像記録媒体１から観察される画像の再生色を、ホログラム記録時の物体光の波長に対応する色みとは異なった色みとすることができる。すなわち、再生色調整層５は、ホログラム記録層３から観察される画像の再生色を、ホログラム記録時の色みからシフトさせる機能を有する層である。
【００２７】
再生色調整層５は、例えば、エネルギ線硬化材料からなる層であり、再生色調整層５は、エネルギ線硬化性化合物および重合開始剤を含有する。
【００２８】
エネルギ線硬化性化合物としては、例えば、光ラジカル重合性化合物、光カチオン重合性化合物が挙げられる。
【００２９】
光ラジカル重合性化合物としては、例えば、ヒドロキシアルキルアクリレート、ヒドロキシアリールアクリレート、アクリル変性カルボン酸、ポリエチレングリコールジアクリレート、ポリプロピレングリコールジアクリレート、多官能アクリレートや、エポキシアクリレート、ウレタンアクリレート、ネオペンチルグリコールのアクリル酸安息香酸混合エステルなどその他のアクリレート、または、これらのメタクリレート体などが挙げられる。光カチオン重合性化合物としては、例えば、ビスフェノール型エポキシ樹脂、ノボラック型エポキシ樹脂、脂肪族エポキシ樹脂、脂環式エポキシ樹脂、異節環状型エポキシ樹脂、多官能性エポキシ樹脂、ビフェニル型エポキシ樹脂、グリシジルエーテル型エポキシ樹脂、グリシジルエステル型エポキシ樹脂、グリシジルアミン型エポキシ樹脂、アルコール型エポキシ樹脂、ハロゲン化エポキシ樹脂、ゴム変性エポキシ樹脂、ウレタン変性エポキシ樹脂、エポキシ化ポリブタジエン、エポキシ化スチレン−ブタジエン−スチレンブロック共重合体、エポキシ基含有ポリエステル樹脂、エポキシ基含有ポリウレタン樹脂、エポキシ基含有アクリル樹脂、オキセタニル基を有する化合物などが挙げられる。
【００３０】
重合開始剤としては、アセトフェノン系、ベンゾフェノン系、チオキサントン系、ベンゾイン系、ベンゾインアルキルエーテル系などの光ラジカル重合開始剤、芳香族ジアゾニウム塩、芳香族スルホニウム塩、芳香族ヨードニウム塩、メタセロン化合物、ベンゾインスルホン酸エステルなどの光カチオン重合開始剤が挙げられる。重合開始剤としては、使用するエネルギ線の種類に合わせて選択され、二種以上を組み合わせて用いることができる。
【００３１】
エネルギ線（放射線）としては、例えば、電子線、紫外線、可視光線、ガンマ線などを用いることができ、生産設備の観点から、紫外線が好ましい。このとき、エネルギ線硬化材料は、具体的には、例えば、紫外線硬化樹脂である。必要に応じて、エネルギ線硬化材料に、光増感剤、帯電防止剤、赤外線吸収剤、紫外線吸収剤、酸化防止剤、有機系粒子、無機酸化物粒子、金属粉末、顔料、染料などが含有されていてもよい。
【００３２】
後述するように、例えば、エネルギ線硬化材料をホログラム記録層３に塗布すると、ホログラム記録層３に対するケミカルアタックが生じる。すると、ホログラム記録層３に記録された情報を再生させたときの再生色が、ホログラム記録時における色みから変化した色みとなる。
【００３３】
ケミカルアタックによる、ホログラム記録層３に記録された情報を再生させたときの再生色の変化（以下、単に「カラーシフト」と適宜称する。）の度合いは、再生色調整層５に含まれるエネルギ線硬化性化合物の重合の完了までの時間に依存する。言い換えれば、ホログラムのカラーシフトの度合いは、ホログラム記録層３に対する、再生色調整層５を構成する材料の配置から再生色調整層５の硬化までの時間に依存する。
【００３４】
すなわち、本開示によれば、ホログラムをカラーシフトさせるだけでなく、カラーシフトにおいて、ホログラムを所望の再生色に“色留め”することが可能である。例えば、情報の記録後のホログラム記録層３に紫外線硬化樹脂を塗布した後、紫外線硬化樹脂に紫外線を照射して再生色調整層５を形成する場合、紫外線硬化樹脂の塗布から紫外線の照射までの時間により、カラーシフトの度合いを管理することが可能である。
【００３５】
また、再生色調整層５を構成する材料を選択することにより、カラーシフトが短波長側へのカラーシフトであるか、長波長側へのカラーシフトであるかを選択することも可能である。
【００３６】
このように、本開示では、ホログラム記録層３に記録された情報を再生させたときの再生色を、ホログラム記録時における色みから所望の色みに変化させることができる。
【００３７】
図１Ａおよび図１Ｂに示すように、再生色調整層５には、例えば、パターニングがなされている。図１Ａおよび図１Ｂに示す構成例では、再生色調整層５が、パターニングにより形成された第１の部分５ａおよび第２の部分５ｂを備えている。図１Ａでは、第２の部分５ｂを、斜線および網掛けにより示した。
【００３８】
したがって、図１Ａおよび図１Ｂに示す画像記録媒体１は、再生色調整層５に設けられた第１の部分５ａに対応する第１の領域Ｒ１および第２の部分５ｂに対応する第２の領域Ｒ２を備えている。なお、図１Ａおよび図１Ｂでは、再生色調整層５が２つの部分にパターニングされる例を示したが、再生色調整層５が、さらに多くの部分にパターニングされていてもかまわない。すなわち、画像記録媒体１が、さらに多くの領域を備えていてももちろんかまわない。
【００３９】
再生色調整層５が、例えば、第１および第２の部分を備えることに対応して、ホログラム記録層における、ホログラム画像の記録された部分は、第１の部分５ａとの重なりを有する部分ＷＳと、第２の部分５ｂとの重なりを有する部分ＣＳとに区分される。この場合、画像記録媒体１を所定の方向から照明すると、画像記録媒体１の観察者に観察される画像の色みは、第１の部分５ａとの重なりを有する部分ＷＳと、第２の部分５ｂとの重なりを有する部分ＣＳとで相異なる色みとなる。
【００４０】
再生色調整層５のパターニングは、例えば、再生色調整層５の硬化までの時間の長短によりなされる。例えば、再生色調整層５を構成する材料として紫外線硬化樹脂を使用する場合、情報の記録後のホログラム記録層３に紫外線硬化樹脂を塗布した後、塗布された紫外線硬化樹脂に紫外線を照射することにより、再生色調整層５を形成する。このとき、紫外線硬化樹脂に対する紫外線の照射の際に、マスクなどを使用して紫外線の一括照射を行えば、再生色調整層５の硬化までの時間を、再生色調整層５の面内で複数の部分ごとに異ならせることができる。
【００４１】
この場合、マスクされた部分では、マスクされなかった部分と比較して、硬化前の紫外線硬化樹脂が、ホログラム記録層３に対してより長い時間接することになる。そのため、マスクされた部分のカラーシフトの度合いを、マスクされなかった部分と比較して、より大きくすることができる。
【００４２】
例えば、紫外線硬化樹脂に対して、ライン状の光源から光を照射させたり、スポット光源からの光を走査させたりすることにより、再生色調整層５の硬化までの時間を、再生色調整層５の面内で異ならせるようにしてもよい。この場合も、ホログラムのカラーシフトの度合いを再生色調整層５における部分ごとに管理することが可能である。
【００４３】
または、例えば、再生色調整層５を構成する材料を、再生色調整層５の面内における部分ごとに異ならせることにより、再生色調整層５のパターニングを行うことも可能である。例えば、再生色調整層５の面内において、第１の部分５ａを構成する材料と第２の部分５ｂを構成する材料とを異ならせることにより、第１の部分５ａと第２の部分５ｂとで、ホログラムのカラーシフトの度合いや、波長をシフトさせる方向を異ならせることができる。
【００４４】
すなわち、例えば、波長が約５３２ｎｍの緑色レーザにより、ホログラム記録層３にホログラムの記録を行ったとする。ここで、再生色調整層５を形成する際に、第１の部分５ａを構成する材料と第２の部分５ｂを構成する材料とを適宜選択することにより、画像記録媒体１の第１の領域Ｒ１において再生される画像を、例えば、黄色みを帯びた画像とすることができる。また、画像記録媒体の第２の領域Ｒ２において再生される画像を、例えば、青みを帯びた画像とすることができる。
【００４５】
この場合における再生色調整層５のパターニングは、ホログラム記録層３の一主面上で第１の部分５ａを構成する材料および第２の部分５ｂを構成する材料を塗り分けることにより実現される。ホログラム記録層３の一主面上における、第１の部分５ａを構成する材料および第２の部分５ｂを構成する材料の塗り分けには、例えば、印刷法を適用することができる。印刷法としては、例えば、インクジェット印刷の方式やスクリーン印刷法などを適用することができるが、印刷法としては、これらに限定されるものではない。
【００４６】
複数の材料の塗り分けと、再生色調整層５の各部分の硬化までの時間の管理とを組み合わせてもよい。
【００４７】
一般的に、印刷に使用されるインクは、樹脂材料と着色剤との混合物である。例えば、紫外線硬化樹脂と着色剤との混合物は、いわゆる紫外線インクを構成する。
【００４８】
そのため、樹脂材料を用いて再生色調整層５を形成する場合、印刷法の適用も容易である。したがって、例えば、印刷法を適用することにより、第１の部分５ａを構成する材料および第２の部分５ｂを構成する材料の塗り分けも容易に実現することができる。
【００４９】
再生色調整層５自体の色みは、特に限定されないが、再生色調整層５が黒色の層とされていることが好ましい。ホログラムの背景となる再生色調整層５自体を黒色とするのは、商品などに貼り付けた場合に、ホログラムのコントラストが高まり、ホログラム記録層３に記録された情報が見やすくなるからである。ここで、黒色であるとは、ＯＤ（OPTICAL DENSITY）にて１．０以上、ＪＩＳ  Ｚ  ８７２９に規定されるＬ*ａ*ｂ*表色系における明度において３０以下、または、可視光領域波長４００〜７５０ｎｍにおける平均反射率が２０％以下の範囲であることを指す。ＯＤ、明度または平均反射率が上述した範囲内であると、ホログラムが観察しやすく、好ましい。
【００５０】
再生色調整層５を黒色とするには、再生色調整層５が、黒色の着色剤を含有すればよく、黒色の着色剤としては、例えば、黒色の顔料や黒色の染料が挙げられる。黒色の顔料としては、例えば、カーボンブラック、銅−鉄−マンガン、アニリンブラックなどの黒色顔料を挙げることができる。黒色の染料としては、例えば、アシッドブラック、クロムブラック、リアテクティブブラックなどの黒色染料を挙げることができる。
【００５１】
なお、再生色調整層５に対してレーザ光などを照射し、再生色調整層５自体の色みを変化させてもよい。例えば、再生色調整層５に対してレーザ光が照射されることにより、レーザ光の照射された部分が、発泡、凝縮、炭化または化学変化を起こして、もとの色みとは異なった色みとなる。したがって、文字状や記号状などにレーザ光を照射することにより、再生色調整層５に印字を行うことも可能である。
【００５２】
上述したように、画像記録媒体１は、例えば、再生色調整層５に設けられた第１の部分５ａに対応する第１の領域Ｒ１および再生色調整層５に設けられた第２の部分５ｂに対応する第２の領域Ｒ２を備える。そのため、所定の方向から画像記録媒体１を照明すると、第１の領域Ｒ１において再生される画像の再生色と第２の領域Ｒ２において再生される画像の再生色とが異なったものとなる。
【００５３】
後述するように、画像記録媒体の面内において、ホログラム記録層３から観察される画像の再生色の相異なる部分が複数存在していると、不正なコンタクトコピーが困難となる。したがって、本開示によれば、画像記録媒体のコピープロテクションの機能を向上させることができる。
【００５４】
図１Ａに示すように、画像記録媒体１には、必要に応じて、保護層７、中間接着層９、基材層１１、接着層１３およびセパレータ１５が設けられる。以下、保護層７、中間接着層９、基材層１１、接着層１３およびセパレータ１５について順に説明する。
【００５５】
（１−１−３．保護層）
保護層７は、画像記録媒体１に対する傷の防止や帯電の防止を目的として設けられる層である。保護層７は、ホログラム記録層３における、画像記録媒体１の観察者側の主面上に形成される。すなわち、画像記録媒体１の観察者は、ホログラム記録層３からの再生光を、保護層７を介して観察する。
【００５６】
保護層７は、例えば、光透過性を有する樹脂シートまたは樹脂フィルムである。保護層７の材料としては、可視光領域で高い透明性を有している材料から選択されることが好ましい。保護層７の材料としては、例えば、ポリエチレンテレフタレート、ポリカーボネート、シクロオレフィンポリマ、ポリエーテルスルフォン、ポリエチレンナフタレート、トリアセチルセルロース、ポリイミド、ポリメタクリル酸メチル、アラミドなどを挙げることができる。
【００５７】
（１−１−４．中間接着層）
中間接着層９は、例えば、保護層７、ホログラム記録層３および再生色調整層５の積層体と、後述する基材層１１、接着層１３およびセパレータ１５の積層体との間に介在され、これらの積層体を一体とするために設けられる接着層である。中間接着層９を配置することにより、例えば、ホログラム記録層３への情報の記録と、基材層１１、接着層１３およびセパレータ１５などからなる積層体の形成とを別工程とすることができる。
【００５８】
中間接着層９は、例えば、接着剤からなる層である。なお、本明細書中で単に「接着」という場合には、「接着」は、「粘着」を含むものとする。
【００５９】
接着剤としては、例えば、感圧型、エネルギ線硬化型または熱硬化型の接着剤を挙げることができる。
【００６０】
感圧型の接着剤（粘着剤）としては、例えば、天然ゴム系、ブチルゴム、ポリイソプレン、ポリイソブチレン、ポリクロロプレン、スチレン−ブタジエン共重合樹脂などの合成ゴム系樹脂、シリコーン系樹脂、アクリル系樹脂、ポリ酢酸ビニル、エチレン−酢酸ビニル共重合体などの酢酸ビニル系樹脂、ウレタン系樹脂、アクリロニトリル、炭化水素樹脂、アルキルフェノール樹脂、ロジン、ロジントリグリセリド、水素化ロジンなどのロジン系樹脂などを使用することができる。
【００６１】
エネルギ線硬化型接着剤は、エネルギ線硬化性化合物および重合開始剤を含有する接着剤である。エネルギ線硬化性化合物および重合開始剤としては、再生色調整層と同様のものを用いることができる。
【００６２】
熱硬化型の接着剤としては、例えば、アクリル系、エポキシ系、ウレタン系、ポリエステル系などの接着剤を使用することができる。
【００６３】
ここで、例えば、ホログラム記録層３と、基材層１１などを含む積層体とを一体的に接着しようとする場合、ホログラム記録層３を構成する材料に対する、中間接着層９からのケミカルアタックの影響を考慮しなければならない。
【００６４】
従来、ホログラム記録層と接するようにして中間接着層が形成される画像記録媒体の製造においては、中間接着層からのケミカルアタックを防止するために、中間接着層を構成する材料が特殊なものに限られていた。すなわち、中間接着層を構成する材料として、例えば、特殊なゴム系接着剤（粘着剤）を使用しなければならなかった。
【００６５】
しかしながら、特殊なゴム系接着剤（粘着剤）をはじめとする、ホログラム記録層に対してケミカルアタックを起こしにくい接着剤は、一般に、ホログラム記録層との間の剥離強度が小さい。したがって、画像記録媒体から剥離されたホログラム記録層を原版としてコンタクトコピーされるおそれがあった。さらに、ホログラム記録層に対してケミカルアタックを起こしにくい接着剤は高価であるため、そのような接着剤を使用すると、画像記録媒体の製造コストの上昇を招いてしまう。
【００６６】
本開示では、硬化後の再生色調整層５がブロッキング層として機能するため、中間接着層９を構成する材料として、例えば、汎用アクリル系接着剤（粘着剤）など、汎用性のある材料を使用することができる。したがって、本開示によれば、従来の構成の場合と比較して、画像記録媒体１を安価に製造することが可能である。
【００６７】
（１−１−５．基材層）
基材層１１は、例えば、画像記録媒体１の形状の保持を目的として設けられる層である。また、基材層１１の一主面上に接着剤が塗布されることにより、中間接着層９や後述する接着層１３が形成される場合には、基材層１１は、中間接着層９や後述する接着層１３の形成時におけるベースフィルムとして機能する。
【００６８】
基材層１１の材料としては、例えば、樹脂材料や紙、金属箔などを挙げることができるが、これらに限定されるものではない。
【００６９】
樹脂材料としては、例えば、ポリエチレンテレフタレートやポリエチレン、ポリ塩化ビニル、ポリカーボネート、アクリロニトリル−ブタジエン−スチレン共重合体などを挙げることができるが、これらに限定されるものではない。
【００７０】
なお、基材層１１の材料としては、透明性は必ずしも要求されないが、基材層１１の材料として、保護層７の材料と同様の材料が選択されてもよい。被着体に対する貼りつけを容易にする観点から、基材層１１は、折り曲げが自在であることが好ましい。
【００７１】
（１−１−６．接着層）
接着層１３は、画像記録媒体１を被着体に接合するための接着層（粘着層）である。接着層１３としては、例えば、中間接着層９に使用することができる材料を使用することができ、例えば、感圧型の接着剤（粘着剤）を使用することができる。または、スチレン−ブタジエン−スチレンブロック共重合体、スチレン−イソプレン−スチレンブロック共重合体、スチレン−エチレン−ブチレン−スチレンブロック共重合体などの熱可塑性エラストマや、反応ホットメルト性樹脂などを粘着剤として使用してもよい。
【００７２】
粘着剤として、例えば、エチレン−酢酸ビニル共重合体樹脂、ポリアミド樹脂、ポリエステル樹脂、ポリエチレン樹脂、エチレン−イソブチルアクリレート共重合体樹脂、ブチラール樹脂、ポリ酢酸ビニルおよびその共重合体樹脂、セルロース誘導体、ポリメチルメタクリレート樹脂、ポリビニルエーテル樹脂、ポリウレタン樹脂、ポリカーボネート樹脂、ポリプロピレン樹脂、エポキシ樹脂、フェノール樹脂などのヒートシール剤を使用してもよい。
【００７３】
（１−１−７．セパレータ）
接着層１３の表面上に、セパレータ１５がさらに設けられてもよい。接着層１３の表面上にセパレータ１５がさらに設けられることにより、画像記録媒体１の取り扱いが容易となる。
【００７４】
セパレータ１５としては、例えば、ポリエチレンテレフタレートのフィルムやポリプロピレンのフィルムなどを、フッ素系離型剤やシリコーン系離型剤などにより離型処理した樹脂フィルムを使用することができる。または、剥離紙を使用してもよい。
【００７５】
［１−２．画像記録媒体の製造方法の一例］
以下、図３Ａ〜図３Ｃ、図４Ａ〜図４Ｄ、図５Ａ〜図５Ｃおよび図６Ａ〜図６Ｄを参照しながら、第１の実施形態にかかる画像記録媒体１の製造方法の一例について説明する。なお、図面の大きさの制約から、一連の製造工程を図３Ａ〜図３Ｃ、図４Ａ〜図４Ｄ、図５Ａ〜図５Ｃおよび図６Ａ〜図６Ｄに分割して示しているが、生産性を考慮して、この製造方法の一部または全部のプロセスをロールツーロール（Roll to Roll）により行うようにしてもよい。
【００７６】
まず、図３Ａに示すように、光透過性を有するシート状の樹脂フィルム７ｓの一主面上に、光重合型フォトポリマがシート状に塗布されることにより、フォトポリマ層３ｒが形成される。このとき、光重合型フォトポリマは、未硬化または半硬化状態（以下、この状態をウェット状態と適宜称する。）とされる。
【００７７】
図３Ａに示す樹脂フィルム７ｓは、フォトポリマ層３ｒの形成において、フォトポリマ層３ｒの形成のためのベースフィルムとして機能し、画像記録媒体１の完成後においては、上述した保護層７として機能する。
【００７８】
次に、例えば、図３Ｂに示すように、ホログラム画像の記録されたオリジナル原版１００とのコンタクトコピーにより、オリジナル原版１００に記録されているホログラム画像が、フォトポリマ層３ｒに複製される。
【００７９】
オリジナル原版１００に記録されているホログラム画像の複製においては、例えば、図３Ｂに示すように、フォトポリマ層３ｒとオリジナル原版１００とが互いに密着され、フォトポリマ層３ｒおよびオリジナル原版１００に対して、記録用のレーザ光Ｌｄが照射される。レーザ光Ｌｄの波長は、オリジナル原版１００に対するホログラム画像の記録に使用されたレーザ光の波長と同一とされる。
【００８０】
ホログラムの複製の工程において、フォトポリマ層３ｒの光重合型フォトポリマがウェット状態であると、オリジナル原版１００とフォトポリマ層３ｒとの間に空気が入ることを抑制でき、ホログラムの複製が安定する。また、別個に密着液を使用する必要がないので、オリジナル原版１００およびフォトポリマ層３ｒの界面に光学密着液を塗布して密着させてオリジナル原版１００とフォトポリマ層３ｒとの間から空気を除去する工程を不要とできる。
【００８１】
オリジナル原版１００は、例えば、記録済のホログラム層１０３がガラス板１０１ａおよびガラス板１０１ｂの間に挟まれたものである。フォトポリマ層３ｒおよびオリジナル原版１００に対して、記録用のレーザ光Ｌｄが照射されることにより、オリジナル原版１００からの回折光（物体光）とレーザ光Ｌｄ（参照光）との干渉パターンが、屈折率の変化としてフォトポリマ層３ｒに記録される。このようにして、オリジナル原版１００に記録されているホログラム画像が、フォトポリマ層３ｒに複製される。
【００８２】
オリジナル原版１００からのホログラムの複製にかえ、または、オリジナル原版１００からのホログラムの複製とともに、個々の画像記録媒体を識別するための識別情報を、ホログラム画像としてフォトポリマ層３ｒに記録してもよい。識別情報の形態としては、例えば、シリアル番号や一次元バーコード、二次元バーコードなどが挙げられる。
【００８３】
識別情報などの付加情報をホログラム画像としてフォトポリマ層３ｒに記録するには、例えば、図３Ｂに示すように、付加情報の重畳されたレーザ光Ｌａを、オリジナル原版１００を介してフォトポリマ層３ｒに入射すればよい。レーザ光に付加情報を重畳するには、例えば、付加情報を画像として表示させた液晶パネルなどの空間変調素子を通過させることにより、レーザ光を変調すればよい。
【００８４】
付加情報の重畳されたレーザ光Ｌａが、オリジナル原版１００を介してフォトポリマ層３ｒに照射されることにより、付加情報の重畳されたレーザ光Ｌａ（物体光）とレーザ光Ｌｄ（参照光）との干渉パターンが、屈折率の変化としてフォトポリマ層３ｒに記録される。レーザ光Ｌａおよびレーザ光Ｌｄは、例えば、同一の光源から出射されたレーザ光が分岐されることにより生成される。
【００８５】
なお、付加情報の重畳されたレーザ光Ｌａを、オリジナル原版１００を介してフォトポリマ層３ｒに入射することにかえ、ホログラム画像とともに付加情報の記録されているホログラムをオリジナル原版１００としてもよい。この場合は、記録用のレーザ光Ｌｄが照射されることにより、ホログラム画像および付加情報が、ともにフォトポリマ層３ｒに複製される。
【００８６】
次に、光重合型フォトポリマが、記録画像を定着させるために紫外線照射や加熱といった後処理を必要とする場合には、オリジナル原版１００からのホログラムの複製に続けて後処理が行われる。
【００８７】
例えば、図３Ｃに示すように、樹脂フィルム７ｓおよびフォトポリマ層３ｒの積層体に対して、紫外線ランプＵＬ１により紫外線が照射されることにより、モノマＭの重合が完了し、保護層７（樹脂フィルム７ｓ）およびホログラム記録層３の積層体（以下、第１の積層体ＬＢ１と適宜称する。）が得られる。また、例えば、ヒートローラにより第１の積層体ＬＢ１が加熱され、オリジナル原版１００から複製されたホログラム画像の定着がなされる。上述したような後処理により、光重合型フォトポリマの屈折率変調度が増加し、オリジナル原版１００から複製されたホログラム画像がホログラム記録層３に定着する。
【００８８】
次に、ホログラム記録層３の表面上に、例えば、紫外線硬化樹脂が塗布されることにより、ホログラム記録層３の表面上に再生色調整層５が形成される。このとき、ホログラム記録層３の表面上に塗布された紫外線硬化樹脂は、ウェット状態である。
【００８９】
ホログラム記録層３の表面上に対する紫外線硬化樹脂の塗布には、例えば、ロールコータ、ナイフコータ、グラビアコータ、ダイコータ、リバースコータなどを用いることができる。または、ホログラム記録層３の表面上に対する紫外線硬化樹脂の塗布には、例えば、各種の印刷法を適用することができる。
【００９０】
ホログラム記録層３の表面への再生色調整層５の形成に際しては、再生色調整層５のパターニングが可能である。以下、再生色調整層５の面内において、再生色調整層５の硬化までの時間を複数の領域ごとに異ならせることによりパターニングを行う例および再生色調整層５を構成する材料を複数の領域ごとに異ならせることによりパターニングを行う例について順に説明する。
【００９１】
（１−２−１．再生色調整層のパターニング形成の第１の例）
再生色調整層５のパターニング形成の第１の例は、再生色調整層５を面内で複数の領域に区分し、区分された複数の領域ごとに再生色調整層５の硬化までの時間を異ならせる例である。
【００９２】
第１の例では、まず、図４Ａに示すように、ホログラム記録層３の表面の全面に、例えば、紫外線硬化樹脂５ｒが塗布される。
【００９３】
次に、図４Ｂに示すように、例えば、紫外線硬化樹脂５ｒの塗布された第１の積層体ＬＢ１と紫外線ランプＵＬ２との間に、所望の形状のマスクＭＳが配置される。次に、紫外線硬化樹脂５ｒの塗布された第１の積層体ＬＢ１およびマスクＭＳに対して、紫外線ランプＵＬ２から紫外線が照射される。すなわち、ホログラム記録層３の表面に塗布された紫外線硬化樹脂５ｒのうち、マスクされなかった領域における紫外線硬化樹脂の硬化が完了する。
【００９４】
次に、図４Ｃに示すように、マスクＭＳが取り除かれた後、所定の時間間隔をおいて、ホログラム記録層３の表面に塗布された紫外線硬化樹脂５ｒの全面に対して紫外線が照射される。ホログラム記録層３の表面に塗布された紫外線硬化樹脂５ｒの全面に対して紫外線が照射されることにより、残余の領域（マスクされていた領域）における紫外線硬化樹脂の硬化も完了する。すなわち、ホログラム記録層３の一主面上への再生色調整層５ｘの形成が完了する。
【００９５】
ここで、ホログラム記録層３の表面に紫外線硬化樹脂５ｒが塗布されると、ホログラム記録層３に対する紫外線硬化樹脂５ｒのケミカルアタックが始まるが、紫外線硬化樹脂５ｒが硬化してしまうと、それ以上のケミカルアタックは起こらない。
【００９６】
第１の例では、マスクされていなかった領域における紫外線硬化樹脂の硬化までの時間が、マスクされていた領域における紫外線硬化樹脂の硬化までの時間よりも短い。そのため、マスクされていなかった領域では、マスクされていた領域と比較して、ホログラム記録層３に対するケミカルアタックの影響が小さくなる。言い換えれば、マスクされていなかった領域では、マスクされていた領域と比較して、ホログラム記録層３に複製されたホログラムのカラーシフトの度合いが小さくなる。
【００９７】
このとき、ホログラム記録層３に記録されているホログラム画像を観察すると、マスクされていなかった領域に対応する部分と、マスクされていた領域に対応する部分とでは、観察されるホログラム画像の再生色が異なったものとなる。したがって、再生色調整層５ｘの面内において、再生色調整層５ｘの硬化までの時間を複数の領域ごとに異ならせることにより、再生色調整層５のパターニングが可能である。
【００９８】
または、例えば、マスクＭＳを使用せずに、紫外線硬化樹脂５ｒに対して、ライン状の光源から光を照射させたり、スポット光源からの光を走査させたりすることにより、再生色調整層５ｘの硬化までの時間を、再生色調整層５ｘの面内で異ならせることも可能である。
【００９９】
この場合は、ホログラム記録層３の表面の全面に塗布された紫外線硬化樹脂５ｒの一部に対して、例えば、図４Ｄに示すように、スポット光源Ｓｓから発せられた紫外線を照射する。すると、ホログラム記録層３の表面の全面に塗布された紫外線硬化樹脂５ｒのうち、紫外線の照射された部分のみが、他の部分よりも先に硬化することになる。その後、所定の時間間隔をおいて、ホログラム記録層３の表面に塗布された紫外線硬化樹脂５ｒの全面に対して紫外線を照射することにより、再生色調整層５ｘの硬化までの時間を、再生色調整層５ｘの面内で異ならせることができる。
【０１００】
この場合も、ホログラム記録層３に記録されているホログラム画像を観察すると、先に紫外線が照射された領域に対応する部分と、その他の領域に対応する部分とでは、観察されるホログラム画像の再生色が異なったものとなる。
【０１０１】
このとき、先に紫外線の照射を行う領域の位置や数、形状などに関する情報と、ホログラム記録層３に記録された識別情報とが、関連づけられていてもよい。例えば、個々の画像記録媒体１を区別するための識別情報として、それぞれの画像記録媒体１にシリアル番号をホログラムとして記録しておき、先に紫外線の照射を行う領域の位置を、各シリアル番号の末尾の数字に対応させて異ならせることができる。すなわち、先に紫外線の照射を行う領域の位置や形状に関する情報と、ホログラム記録層３に記録された識別情報を関連づけることにより、画像記録媒体１のコピープロテクションの機能および真贋判定機能をより向上させることができる。
【０１０２】
さらに、例えば、再生色調整層５を構成する材料に対して照射する光の強さを部分的に異ならせることにより、区分された複数の領域ごとに再生色調整層５の硬化までの時間を異ならせることも可能である。
【０１０３】
例えば、再生色調整層５を構成する材料として紫外線硬化樹脂が選択される場合には、ホログラム記録層３の表面に塗布された紫外線硬化樹脂に対する紫外線強度（紫外線の照度といってもよい。）を部分的に異ならせるようにしてもよい。
【０１０４】
なお、ホログラム記録層３の表面に塗布される、再生色調整層５を構成する材料の厚さを部分的に異ならせておくことにより、区分された複数の領域ごとに再生色調整層５の硬化までの時間を異ならせることもできる。
【０１０５】
再生色調整層５を構成する材料の厚さを部分的に異ならせておく手法によれば、再生色調整層５を構成する材料に対する光照射の条件を変更する場合と比較して、より簡便かつ確実に、ホログラムのカラーシフトの度合いをコントロールすることができる。
【０１０６】
（１−２−２．再生色調整層のパターニング形成の第２の例）
再生色調整層５のパターニング形成の第２の例は、再生色調整層５を面内で複数の領域に区分し、区分された複数の領域ごとに再生色調整層５を構成する材料を異ならせる例である。以下では、再生色調整層５を構成する材料として、二種類の紫外線硬化樹脂が使用される例についての説明を行うが、三種類以上の紫外線硬化樹脂が使用されてもかまわない。また、再生色調整層５を構成する材料として、紫外線硬化樹脂以外の材料が使用されてももちろんかまわない。
【０１０７】
第２の例では、まず、図５Ａに示すように、ホログラム記録層３の表面の少なくとも１部に、例えば、第１の紫外線硬化樹脂５ｒａが塗布される。
【０１０８】
次に、図５Ｂに示すように、ホログラム記録層３の表面のうち、第１の紫外線硬化樹脂５ｒａの塗布されなかった領域に、第２の紫外線硬化樹脂５ｒｂが塗布される。第２の紫外線硬化樹脂５ｒｂは、第１の紫外線硬化樹脂５ｒａの塗布されなかった領域にのみ選択的に塗布されてもよいし、第１の紫外線硬化樹脂５ｒａの塗布された領域に重ねて塗布されていてもよい。
【０１０９】
なお、図５Ａおよび図５Ｂでは、ホログラム記録層の表面に対して、第１の紫外線硬化樹脂５ｒａと第２の紫外線硬化樹脂５ｒｂとが順に塗布される例を示したが、もちろん、この例に限られない。印刷法を適用すれば、再生色調整層５における、第１の紫外線硬化樹脂５ｒａからなる第１の部分と、第２の紫外線硬化樹脂５ｒｂからなる第２の部分とを同時に形成することも容易である。
【０１１０】
次に、ホログラム記録層３の表面に塗布された第１の紫外線硬化樹脂５ｒａおよび第２の紫外線硬化樹脂５ｒｂに対して、紫外線が照射される。ホログラム記録層３の表面に塗布された第１の紫外線硬化樹脂５ｒａおよび第２の紫外線硬化樹脂５ｒｂに対して紫外線が照射されることにより、ホログラム記録層３に隣接して、第１の紫外線硬化樹脂５ｒａおよび第２の紫外線硬化樹脂５ｒｂによりパターニングされた再生色調整層５ｙが形成される。
【０１１１】
第１の例と同様に、ホログラム記録層３の表面に第１の紫外線硬化樹脂５ｒａまたは第２の紫外線硬化樹脂５ｒｂが塗布されることにより、ホログラム記録層３に対するケミカルアタックが生じる。また、第１の紫外線硬化樹脂５ｒａまたは第２の紫外線硬化樹脂５ｒｂの硬化が完了することにより、ホログラム記録層３に対するケミカルアタックは停止される。
【０１１２】
ここで、第２の例では、第１の紫外線硬化樹脂５ｒａおよび第２の紫外線硬化樹脂５ｒｂの二種類の材料により、再生色調整層５ｙが構成されることになる。そのため、第１の紫外線硬化樹脂５ｒａおよび第２の紫外線硬化樹脂５ｒｂの組成の違いにより、ホログラムのカラーシフトの度合いに差が生じる。したがって、画像記録媒体１から観察されるホログラム画像の再生色は、再生色調整層５ｙのパターニングに応じたパターニングを有するものとなる。この場合も、第１の例と同様に、ホログラムのカラーシフトの度合いを再生色調整層５ｙにおける部分ごとに管理することができる。
【０１１３】
また、第１の紫外線硬化樹脂５ｒａおよび第２の紫外線硬化樹脂５ｒｂの組成の違いによっては、ホログラムの再生光のピーク波長のシフトする方向が、相異なったものとなる。したがって、ホログラムの再生光のピーク波長のシフトする方向を再生色調整層５ｙにおける部分ごとに管理することもできる。
【０１１４】
このように、第２の例においても、ホログラム記録層３と隣接して、パターニングされた再生色調整層５ｙを形成することにより、ホログラム記録層３に意図的にケミカルアタックを発生させることができる。さらに、ホログラムのカラーシフトの度合いなどをコントロールすることができる。
【０１１５】
なお、第１の例と同様に、再生色調整層５ｙの硬化までの時間が、再生色調整層５ｙの面内の部分ごとにコントロールされていてもよい。または、例えば、ホログラムの再生光のピーク波長のシフトする方向がコントロールされた領域の位置や数、形状などに関する情報と、ホログラム記録層３に記録された識別情報とが関連づけられていてもよい。
【０１１６】
ホログラム記録層３に隣接して再生色調整層５の形成された積層体（以下、第２の積層体ＬＢ２と適宜称する。）に対しては、例えば、基材層１１、接着層１３およびセパレータ１５の積層体（以下、第３の積層体ＬＢ３と適宜称する。）との貼り合わせが行われる。
【０１１７】
例えば、図６Ａに示すように、基材層１１、接着層１３およびセパレータ１５からなる第３の積層体ＬＢ３が準備され、例えば、図６Ｂに示すように、基材層１１の表面に、接着剤９ｒが塗布される。
【０１１８】
次に、例えば、図６Ｃに示すように、基材層１１の表面に形成された接着剤９ｒの層と、再生色調整層５とが対向するようにして、第２の積層体ＬＢ２と、第３の積層体ＬＢ３とが、接着剤９ｒの層を介して貼り合わせられる。
【０１１９】
例えば、基材層１１の表面に塗布された接着剤９ｒが紫外線硬化型の接着剤である場合には、例えば、図６Ｄに示すように、第２の積層体ＬＢ２と、第３の積層体ＬＢ３とが一体とされた状態で、例えば、紫外線ランプＵＬ３により紫外線の照射が行われる。接着剤９ｒの層に対して紫外線の照射が行われることにより、接着剤９ｒの層が硬化し、中間接着層９が形成される。
【０１２０】
上述した工程を経て、本開示の実施形態にかかる画像記録媒体１が得られる。
【０１２１】
なお、基材層１１の表面に接着剤が塗布されることにかえ、再生色調整層５の表面に接着剤９ｒが塗布されることにより、再生色調整層５と基材層１１との間に介在される中間接着層９が形成されてもよい。または、基材層１１の表面にあらかじめ接着剤９ｒの層が形成された積層体と、第２の積層体ＬＢ２とが貼り合わされることにより、画像記録媒体１が構成されてもよい。基材層１１の表面にあらかじめ接着剤９ｒの層を形成しておくことにより、画像記録媒体１をより薄く構成することができる。
【０１２２】
第２の積層体ＬＢ２と、第３の積層体ＬＢ３との貼り合わせを行わずに、再生色調整層５の表面に接着剤を直接に塗布することにより、保護層７、ホログラム記録層３、再生色調整層５および接着層９からなる積層体を画像記録媒体１としてもよい。
【０１２３】
［１−３．コピープロテクション］
ここで、画像記録媒体１のコピープロテクションの機能について説明する。
【０１２４】
図７Ａは、コンタクトコピーの説明に使用する略線図である。図７Ｂは、本開示の画像記録媒体を原版とする不正なコンタクトコピーを行ったときの干渉パターンの記録の説明に使用する略線図である。
【０１２５】
画像記録媒体１を原版とする不正なコンタクトコピーにおいては、例えば、図７Ａに示すように、複製用記録媒体７１が、画像記録媒体１に対して直接密着されるか、屈折率調整液などを介して密着される。複製用記録媒体７１は、例えば、透明基材上にホログラム記録層が形成された記録媒体であり、複製用記録媒体７１のホログラム記録層が、画像記録媒体１の保護層７側に密着される。さらに、空間フィルタ７５およびコリメータレンズ７７を介して、レーザ光源７３からのレーザ光Ｂが、画像記録媒体１および複製用記録媒体７１に照射される。
【０１２６】
レーザ光Ｂの照射により、画像記録媒体１に記録された情報が再生される。画像記録媒体１に記録された情報が再生されることにより、複製用記録媒体７１に、画像記録媒体１からの回折光（再生光）と、入射レーザ光Ｂとによって形成される干渉パターンが記録される。したがって、画像記録媒体１に記録された情報が、複製用記録媒体７１に複製される。
【０１２７】
ここで、画像記録媒体１は、第１の部分５ａおよび第２の部分５ｂが形成されることによりパターニングのなされた再生色調整層５を備えている。したがって、画像記録媒体１は、再生色調整層５に設けられた第１の部分５ａに対応する第１の領域Ｒ１および第２の部分５ｂに対応する第２の領域Ｒ２を備えている。
【０１２８】
例えば、画像記録媒体１の第１の領域Ｒ１においては、ホログラムのカラーシフトの度合いが小とされ、回折効率のピークに対応する波長が、記録波長と略等しい波長とされている。一方、画像記録媒体１の第２の領域Ｒ２においては、ホログラムのカラーシフトの度合いが大とされている。言い換えれば、第２の領域Ｒ２における、画像記録媒体１の回折効率のピークに対応する波長は、記録波長と異なる波長とされている。
【０１２９】
図７Ｂは、図７Ａに示す複製用記録媒体７１および画像記録媒体１の一部を拡大して模式的に示す断面図である。不正なコンタクトコピーに際しては、画像記録媒体１の記録波長になるべく近い波長が、レーザ光Ｂの波長として選ばれる。したがって、画像記録媒体１の第１の領域Ｒ１における、回折効率のピークに対応する波長が記録波長と略等しい場合、レーザ光Ｂの照射に対して、第１の領域Ｒ１からの回折光Ｄ1の強度は高く、複製用記録媒体７１に記録される干渉パターンの鮮明度は高くなる。すなわち、複製用記録媒体７１において、画像記録媒体１の第１の領域Ｒ１に対応する領域ｒ１には、画像記録媒体１の第１の領域Ｒ１に記録されている情報が複製される。
【０１３０】
一方、レーザ光の照射Ｂに対して、第２の領域Ｒ２から、回折光Ｄ1と同じ角度方向へ回折される回折光Ｄ2の強度は、第１の領域Ｒ１からの回折光Ｄ1の強度と比較して低くなる。これは、画像記録媒体の第２の領域Ｒ２における回折効率のピークに対応する波長が、記録波長と大きくずれているためである。したがって、複製用記録媒体７１に記録される干渉パターンの鮮明度は低くなる。
【０１３１】
図７Ｃは、本開示の画像記録媒体からの再生像を模式的に示す平面図である。図７Ｄは、本開示の画像記録媒体を原版とする不正なコンタクトコピーがなされた記録媒体からの再生像を模式的に示す平面図である。
【０１３２】
図７Ｃに示すように、ホログラム記録層３における、ホログラム画像の記録された部分は、第１の部分５ａとの重なりを有する部分ＷＳと、第２の部分５ｂとの重なりを有する部分ＣＳとに区分される。ホログラム記録層における、ホログラム画像の記録された部分のうち、第１の部分５ａとの重なりを有する部分ＷＳは、画像記録媒体１の第１の領域Ｒ１に属している。また、ホログラム記録層における、ホログラム画像の記録された部分のうち、第２の部分５ｂとの重なりを有する部分ＣＳは、画像記録媒体１の第２の領域Ｒ２に属している。
【０１３３】
ここで、例えば、図７Ｃに例示する画像記録媒体１に記録された画像情報を、記録波長に近い波長のレーザ光によりコンタクトコピーしたとする。
【０１３４】
すると、複製用記録媒体７１において、画像記録媒体１の第２の領域Ｒ２に対応する領域ｒ２への、画像記録媒体１の第２の領域Ｒ２に記録されている情報の複製が不完全なものとなる。
【０１３５】
上述した例では、画像記録媒体１の第１の領域Ｒ１と、画像記録媒体１の第２の領域Ｒ２とでは、複製に寄与する回折光の強度が異なる。その結果、複製用記録媒体７１に記録される干渉パターンの鮮明度が、複製用記録媒体７１の領域ｒ１と領域ｒ２との間で相違したものとなる。
【０１３６】
例えば、図７Ｄに示すように、複製用記録媒体７１を所定の方向からの照明のもとで観察すると、複製用記録媒体７１から再生されるホログラム画像は、画像記録媒体１に記録されたホログラム画像の部分ＣＳに対応する部分が抜け落ちた画像となる。
【０１３７】
したがって、本開示によれば、画像記録媒体におけるコピープロテクションの機能を向上させることができる。
【０１３８】
上述した例では、画像記録媒体１の第１の領域Ｒ１における、回折効率のピークに対応する波長が記録波長と略等しいものとしたが、第１の領域Ｒ１における、回折効率のピークに対応する波長が、記録波長と異なるものであってももちろんかまわない。
【０１３９】
なお、再生色調整層５にパターニングが形成されない場合であっても、画像記録媒体１におけるコピープロテクションの機能が期待できる。
【０１４０】
例えば、ホログラム記録層３にホログラムの記録を行い、その後、ホログラム記録層３の全面に再生色調整層５を形成することにより、ホログラムのカラーシフトを生じさせたとする。このとき、回折効率のピークに対応する波長が、ホログラムの記録の困難な波長となるようにホログラムのカラーシフトの度合いをコントロールすることにより、画像記録媒体１に対してコピープロテクションの機能を付与することができる。
【０１４１】
例えば、ホログラムのカラーシフトにより、回折効率のピークに対応する波長を極端に短波長側に偏移させたり、極端に長波長側に偏移させたりさせることも考えられる。このようにすることで、ホログラム記録層３に記録される画像を、人の目には見えないが、紫外または赤外の光を照射し、またこの領域に感度を持つ光電変換素子を使うことで可視化される画像とすることもできる。
【０１４２】
さらに、再生色調整層５にパターニングが形成されない場合、ホログラム記録層３の全面に再生色調整層５が形成されると、硬化後の再生色調整層５が、中間接着層９からのホログラム記録層３に対するケミカルアタックを防止するブロッキング層として機能する。
【０１４３】
硬化後の再生色調整層５が、中間接着層９からのホログラム記録層３に対するケミカルアタックを防止するブロッキング層として機能するため、本開示によれば、中間接着層９を構成する材料として、汎用性のある材料を使用することができる。中間接着層９を構成する材料として、汎用性のある材料を使用することができるため、画像記録媒体１の製造コストを低減させることができる。
【０１４４】
また、再生色調整層５を構成する材料として、ホログラム記録層３との間の剥離強度の大きな材料を使用するとともに、中間接着層９を構成する材料として、再生色調整層５との間の剥離強度の大きな材料を使用することができる。そのため、画像記録媒体１からホログラム記録層３のみが剥離されて、不正なコンタクトコピーが行われることを防止できる。
【０１４５】
以上に説明したように、第１の実施形態では、ホログラム記録層に隣接して配置される再生色調整層により、意図的にホログラムのカラーシフトが発生させられる。さらに、ホログラムのカラーシフトが積極的にコントロールされることにより、画像記録媒体のコピープロテクションの機能が向上される。
【０１４６】
＜２．第２の実施形態＞
［２−１．画像記録媒体の概略的構成］
図８Ａは、本開示の第２の実施形態にかかる画像記録媒体の構成の一例を示す断面図である。
【０１４７】
図８Ａに示すように、第２の実施形態にかかる画像記録媒体２１は、ホログラム記録層３と、再生色調整層２５とを備え、再生色調整層２５の少なくとも一部が、ホログラム記録層３との界面を有している点で、第１の実施形態と共通する。また、第２の実施形態にかかる画像記録媒体２１は、画像記録媒体２１の観察者に観察される画像において、色みの異なる複数の領域を有している点で、第１の実施形態と共通する。
【０１４８】
第２の実施形態では、面内における再生色調整層２５の有無により再生色調整層２５のパターニングがなされる点で、第１の実施形態と異なっている。言い換えれば、画像記録媒体２１は、ホログラム記録層３と中間接着層９とが直接に接触する領域と、ホログラム記録層３と中間接着層９とが接触しない領域とを備えている。
【０１４９】
（２−１−１．再生色調整層）
再生色調整層２５は、第１の実施形態と同様に、例えば、ホログラム記録層３と、画像記録媒体２１を被着体に貼りつけるための接着層１３との間に配置される。第２の実施形態においては、再生色調整層２５は、例えば、図８Ａに示すように、面内で再生色調整層２５を構成する材料の配置された部分（第１の部分２５ａ）および再生色調整層２５を構成する材料の配置されない部分（第２の部分２５ｂ）を備えている。そのため、第２の実施形態では、第２の部分２５ｂを介して、ホログラム記録層３の一部と中間接着層９の一部とが接している。図２Ａでは、第２の部分２５ｂを網掛けにより示した。
【０１５０】
画像記録媒体２１のうち、再生色調整層２５の第１の部分２５ａに対応する領域では、再生色調整層２５の硬化までの時間が管理されることにより、ホログラムのカラーシフトの度合いがコントロールされる。再生色調整層２５の硬化後においては、再生色調整層２５がブロッキング層として機能するため、ホログラムのカラーシフトはそれ以上進行しない。
【０１５１】
一方、画像記録媒体２１のうち、再生色調整層２５の第２の部分２５ｂに対応する領域では、ホログラム記録層３と中間接着層９とが接している。そのため、ホログラム記録層３に対する中間接着層９からのケミカルアタックが最後まで進行し、したがって、再生色調整層２５の第２の部分２５ｂに対応する領域では、ホログラムのカラーシフトが最後まで進行する。
【０１５２】
［２−２．画像記録媒体の製造方法の一例］
（２−２−１．再生色調整層のパターニング形成の例）
例えば、オリジナル原版へのホログラム画像の記録が、波長が約５３２ｎｍの緑色レーザにより行われたものとする。この場合、まず、ホログラム記録層３に対して、波長が約５３２ｎｍの緑色レーザにより、オリジナル原版に記録されたホログラム画像の複製が行われる。
【０１５３】
図８Ｂは、オリジナル原版に記録されたホログラム画像の複製後のホログラム記録層から観察されるホログラム画像の一例を示す平面図である。ここで、ホログラム画像の複製後のホログラム記録層３を所定の方向からの照明のもとで観察すると、例えば、図８Ｂに示すように、緑色のホログラム画像が観察される。図８Ｂでは、所定の方向からの照明のもとで観察したときに緑色に見える領域を、白色の領域として示した。
【０１５４】
図８Ｃは、再生色調整層の形成の際に使用される刷版の一例を示す平面図である。図８Ｃにおいて、黒色で現された領域は、例えば、刷版ＭＰの面内で切り抜きまたは凹部とされた領域を示している。
【０１５５】
例えば、活版印刷の手法が適用される場合、まず、刷版ＭＰに再生色調整層２５を構成する材料が塗布される。次に、刷版ＭＰと第１の積層体ＬＢ１とが対向された状態で加圧されることにより、ホログラム記録層３の表面に再生色調整層２５を構成する材料が転写される。再生色調整層２５を構成する材料は、例えば、紫外線インクである。
【０１５６】
このとき、ホログラム記録層３の表面のうち、刷版ＭＰの面内で切り抜きまたは凹部とされた領域には、再生色調整層２５を構成する材料が転写されない。
【０１５７】
ホログラム記録層３の表面への紫外線インクの配置は、例えば、表面の一部がマスキングされたホログラム記録層３に対して、紫外線インクが全面に塗布されることにより行われてもよい。
【０１５８】
次に、ホログラム記録層３の表面に転写された紫外線インクに対して紫外線が照射されることにより、紫外線インクが硬化する。硬化後の紫外線インクは、再生色調整層２５の第１の部分２５ａを構成する。一方、紫外線インクの配置されなかった部分は、再生色調整層２５の第２の部分２５ｂを構成する。
【０１５９】
次に、ホログラム記録層３の主面のうち、再生色調整層２５の形成された側に、例えば、中間接着層９が配置される。
【０１６０】
すると、再生色調整層２５が、硬化後の紫外線インクの有無によりパターニングされているため、ホログラム記録層３のうち、再生色調整層２５の第２の部分２５ｂに対応する領域では、ホログラム記録層３と、中間接着層９を構成する接着剤とが接することになる。
【０１６１】
一方、再生色調整層２５の第１の部分２５ａに対応する領域では、硬化後の紫外線インクの層がブロッキング層として機能し、中間接着層９を構成する接着剤は、ホログラム記録層３と接しない。そのため、画像記録媒体２１のうち、再生色調整層２５の第２の部分２５ｂに対応する領域においては、ホログラムのカラーシフトが強く発現する。
【０１６２】
図８Ｄは、完成後の画像記録媒体から観察されるホログラム画像の一例を示す平面図である。なお、図８Ａは、図８ＤのXXV−XXV断面図に対応している。
【０１６３】
上述したように、画像記録媒体２１のうち、再生色調整層２５の第２の部分２５ｂに対応する領域では、ホログラム記録層３と、中間接着層９を構成する接着剤とが接することにより、ホログラムのカラーシフトが強く発現する。そのため、画像記録媒体２１を所定の方向からの照明のもとで観察すると、例えば、再生色調整層２１の第２の部分２５ｂに対応する領域から観察されるホログラム画像の再生色は、緑色とは異なった再生色となる。
【０１６４】
すなわち、再生色調整層２５の第１の部分２５ａに対応する領域から観察されるホログラム画像の再生色は、例えば、緑みを帯びた再生色となる。一方、再生色調整層２５の第２の部分２５ｂに対応する領域から観察されるホログラム画像の再生色は、例えば、黄色みを帯びた再生色となる。なお、図８Ｄでは、所定の方向からの照明のもとで観察したときに緑色に見える領域を、白色の領域として示し、所定の方向からの照明のもとで観察したときに黄色に見える領域を、網掛けされた領域として示した。
【０１６５】
第２の実施形態では、再生色調整層２５の面内の少なくとも一部において、ホログラム記録層３と、中間接着層９とが、意図的に接触させられる。そのため、画像記録媒体２１は、再生色調整層２５の第１の部分２５ａに対応して、ホログラムのカラーシフトの度合いの小さい第１の領域Ｒ１を備える。また、画像記録媒体２１は、再生色調整層２５の第２の部分２５ｂに対応して、ホログラムのカラーシフトの度合いの大きい第２の領域Ｒ２を備える。
【０１６６】
画像記録媒体２１が第１の領域Ｒ１および第２の領域Ｒ２を備えるため、所定の方向からの照明のもとで画像記録媒体２１を観察すると、画像記録媒体２１から観察される画像が、色みの異なる複数の領域を有することになる。したがって、第２の実施形態においても、第１の実施形態と同様にコピープロテクションの効果が得られる。
【０１６７】
＜３．第３の実施形態＞
［３−１．画像記録媒体の概略的構成］
図９Ａは、本開示の第３の実施形態にかかる画像記録媒体の構成の一例を示す断面図である。
【０１６８】
図９Ａに示すように、第３の実施形態にかかる画像記録媒体３１は、ホログラム記録層３と、再生色調整層３５とを備え、再生色調整層３５の少なくとも一部が、ホログラム記録層３との界面を有している点で、第１の実施形態と共通する。また、第３の実施形態にかかる画像記録媒体３１は、画像記録媒体３１の観察者に観察される画像において、色みの異なる複数の領域を有している点で、第１の実施形態と共通する。
【０１６９】
第３の実施形態では、再生色調整層３５のパターニングに対応して、ホログラム記録層３に対する保護層７の剥離強度と、ホログラム記録層３に対する再生色調整層３５の剥離強度との間の大小関係が規定されている点で、第１の実施形態と異なっている。例えば、被着体に被着された画像記録媒体３１が剥離されると、再生色調整層３５のパターニングに対応して、ホログラム記録層３が凝集破壊を伴って分断される。すなわち、第３の実施形態にかかる画像記録媒体３１は、いわゆるタンパーエビデント（tamper-evident）の機能を備えている。
【０１７０】
（３−１−１．再生色調整層）
再生色調整層３５は、再生色調整層３５を構成する材料として、少なくとも二種類の材料が使用されることにより、パターニングがなされている。例えば、再生色調整層３５の第１の部分３５ａは、第１の紫外線インクが使用されることにより形成され、再生色調整層３５の第２の部分３５ｂは、第２の紫外線インクが使用されることにより形成されている。
【０１７１】
そのため、画像記録媒体３１は、再生色調整層に設けられた第１の部分３５ａに対応する第１の領域Ｒ１および第２の部分３５ｂに対応する第２の領域Ｒ２を備えている。また、所定の方向からの照明のもとで画像記録媒体３１を観察すると、第１の実施形態の例と同様に、第１の領域Ｒ１における再生像の再生色と、第２の領域Ｒ２における再生像の再生色とが異なったものとなる。
【０１７２】
ここで、第３の実施形態では、ホログラム記録層３に対する再生色調整層３５の第１の部分３５ａの剥離強度と、ホログラム記録層３に対する再生色調整層３５の第２の部分３５ｂの剥離強度とが、相異なる大きさとされている。
【０１７３】
例えば、第１の領域Ｒ１においては、ホログラム記録層３の破断強度がホログラム記録層３に対する再生色調整層３５の剥離強度よりも大とされ、かつホログラム記録層３に対する保護層７の剥離強度がホログラム記録層３の破断強度よりも大とされている。また、例えば、第２の領域Ｒ２においては、ホログラム記録層３の破断強度がホログラム記録層３に対する保護層７の剥離強度よりも大とされ、かつホログラム記録層３に対する再生色調整層３５の剥離強度がホログラム記録層３の破断強度よりも大とされている。
【０１７４】
さらに、再生色調整層３５に対する中間接着層９の剥離強度、基材層１１に対する中間接着層９の剥離強度、基材層１１に対する接着層１３の剥離強度および被着体に対する接着層１３の剥離強度のいずれもが、第２の領域Ｒ２における、ホログラム記録層３に対する再生色調整層３５の剥離強度よりも大とされている。なお、再生色調整層３５と隣接して、画像記録媒体３１を被着体に被着するための接着層が直接設けられる場合には、再生色調整層３５に対する該接着層の剥離強度および被着体に対する該接着層の剥離強度は、第２の領域Ｒ２における、ホログラム記録層３に対する再生色調整層３５の剥離強度よりも大とされる。
【０１７５】
したがって、例えば、不正な目的をもつ者が、画像記録媒体３１を被着体から剥離しようとすると、画像記録媒体３１の被着体からの剥離時に、ホログラム記録層３が最初に破壊される。
【０１７６】
さらに、第３の実施形態では、ホログラム記録層３に対する再生色調整層３５の第１の部分３５ａの剥離強度と、ホログラム記録層３に対する再生色調整層３５の第２の部分３５ｂの剥離強度とが、相異なる大きさとされている。そのため、ホログラム記録層３が、再生色調整層３５のパターニングに対応した形状に分断されることになる。
【０１７７】
したがって、第３の実施形態によれば、画像記録媒体３１の被着体からの剥離時に、ホログラム記録層３を確実に破壊でき、画像記録媒体３１から分離したホログラム記録層３を原版とする不正なコンタクトコピーを防止することができる。
【０１７８】
ここで、画像記録媒体３１を構成する部材間の剥離強度または各部材の破断強度の間の大小関係は、被着体から画像記録媒体３１を剥離したときに、ホログラム記録層３が破壊されるか否かにより確認することができる。なお、適当なサンプルが得られる場合には、接着強度などの、破壊実験による測定値により剥離強度を求めるようにしてもよい。
【０１７９】
図９Ｂは、図９Ａに示すホログラムラベルを被着体から剥離しようとしたときのホログラムラベルの断面を示す模式図である。図９Ｂに示すように、被着体に被着された画像記録媒体３１を剥離すると、ホログラム記録層３の一部が、再生色調整層３５のパターニングに対応した形状で被着体に残る。すなわち、被着体に被着された画像記録媒体３１を剥離すると、ホログラム記録層３の一部が、再生色調整層３５に設けられた第２の部分３５ｂの形状で被着体に残る。
【０１８０】
ところで、所定の方向からの照明のもとで画像記録媒体３１を観察すると、第１の領域Ｒ１における再生像の再生色と、第２の領域Ｒ２における再生像の再生色とが異なったものとなる。
【０１８１】
しかしながら、本開示によれば、例えば、再生色調整層３５の第１の部分３５ａの硬化までの時間および第２の部分３５ｂの硬化までの時間を個別に管理し、第１の領域Ｒ１および第２の領域Ｒ２におけるカラーシフトの度合いをコントロールすることが可能である。
【０１８２】
したがって、第１の領域Ｒ１における再生像の再生色と、第２の領域Ｒ２における再生像の再生色との差を、一見しただけでは気づかない程度に小さくしておくことも可能である。第１の領域Ｒ１における再生像の再生色と、第２の領域Ｒ２における再生像の再生色との差を小さくしておけば、画像記録媒体３１にタンパーエビデントの機能が付与されていることを気づかれにくい。
【０１８３】
図９Ｃは、本開示の第３の実施形態にかかる画像記録媒体の構成の一例を示す平面図である。
【０１８４】
例えば、図９Ｃに示す構成例では、画像記録媒体３１は、パターニングのなされた再生色調整層３５を備え、再生色調整層３５が第２の部分３５ｂを有することに対応して、画像記録媒体３１には、第２の領域Ｒ２が設けられている。図９Ｃに示す構成例では、画像記録媒体３１の第２の領域Ｒ２は、ひし形およびアルファベット「Ａ」の形状とされている。なお、図９Ｃでは、ホログラム記録層３のうち、ホログラム画像の記録された部分を白色により示した。また、図９Ｃでは、ホログラム記録層３における、ホログラム画像の記録された部分のうち、再生色調整層３５の第２の部分３５ｂとの重なりを有する部分を、網掛けされた領域として示した。
【０１８５】
図９Ｄは、本開示の第３の実施形態にかかる画像記録媒体に付与されたタンパーエビデントの機能を説明するための図である。
【０１８６】
画像記録媒体３１が、パターニングされた再生色調整層３５を備えるため、被着体から画像記録媒体３１を剥離しようとすると、図９Ｄに示すように、再生色調整層３５に形成された第２の部分３５ｂの形状に対応して、ホログラム記録層３が破壊される。すなわち、被着体から画像記録媒体３１が剥離されることにより、被着体の側には、ホログラム記録層３の一部、再生色調整層３５、中間接着層９、基材層１１および接着層１３が残る。また、画像記録媒体３１のうち、被着体から剥離された側では、ホログラム記録層３の一部が保護層７に追従することになるが、ホログラム記録層３からは、画像記録媒体３１の第２の領域Ｒ２と同様の形状が抜け落ちることになる。
【０１８７】
すなわち、第３の実施形態によれば、画像記録媒体が被着体から剥離されたか否かを容易に判定することができ、画像記録媒体に対してタンパーエビデントの機能をさらに付与することができる。
【０１８８】
＜４．第４の実施形態＞
［４−１．画像記録媒体の概略的構成］
図１０Ａは、本開示の第４の実施形態にかかる画像記録媒体の構成の一例を示す断面図である。図１０Ｂは、本開示の第４の実施形態にかかる画像記録媒体の構成の一例を示す平面図である。
【０１８９】
図１０Ａに示すように、第４の実施形態にかかる画像記録媒体４１は、ホログラム記録層４３と、再生色調整層４５とを備え、再生色調整層４５の少なくとも一部が、ホログラム記録層４３との界面を有している点で、第１の実施形態と共通する。また、第４の実施形態にかかる画像記録媒体４１は、画像記録媒体４１の観察者に観察される画像において、色みの異なる複数の領域を有している点で、第１の実施形態と共通する。
【０１９０】
第４の実施形態では、再生色調整層４５自体が二色以上の多色刷りとされる点で、第１の実施形態と異なっている。例えば、黒色とは異なる色の着色剤を含有する第１の紫外線インクにより再生色調整層４５の第１の部分４５ａが形成されるとともに、黒色の着色剤を含有する第２の紫外線インクにより再生色調整層４５の第２の部分４５ｂが形成される。
【０１９１】
さらに、第４の実施形態では、例えば、再生色調整層４５の第１の部分４５ａ自体の色みと、画像記録媒体４１における、再生色調整層４５の第２の部分４５ｂに対応する第２の領域Ｒ２から再生されるホログラム画像の再生色とが略等しい色みとされる。言い換えれば、ホログラム記録層４３を介して観察される再生色調整層４５の第１の部分４５ａの色みと、カラーシフト後のホログラム画像から知覚される再生色とが、略等しくされている。そのため、例えば、ホログラム記録層４３に記録されたホログラム画像と、再生色調整層４５のパターニングにより現された画像とを組み合わせて利用することができる。例えば、ホログラム記録層４３にホログラム画像を記録するとともに、再生色調整層４５のパターニングにより画像を現すことにより、２以上の画像があわせられたときにはじめて意味をもつような画像の記録された画像記録媒体を得ることができる。
【０１９２】
（４−１−１．再生色調整層）
再生色調整層４５は、再生色調整層４５を構成する材料として少なくとも二種類の材料が使用されることにより、パターニングがなされている。例えば、再生色調整層４５の第１の部分４５ａは、第１の紫外線インクが使用されることにより形成され、再生色調整層４５の第２の部分４５ｂは、第２の紫外線インクが使用されることにより形成されている。
【０１９３】
第１の紫外線インクとしては、例えば、黄色の着色剤を含有する紫外線インクが使用され、ホログラム記録層３の表面に第１の紫外線インクが塗布されることにより、再生色調整層４５の第１の部分４５ａが形成される。
【０１９４】
ここで、例えば、画像記録媒体４１における、再生色調整層４５の第１の部分４５ａに対応する第１の領域Ｒ１からは、ホログラム画像が再生されないものとする。すなわち、ホログラム記録層４３のうち、画像記録媒体４１における第１の領域Ｒ１に対応する領域には、ホログラム画像が記録されておらず、ホログラム記録層３に入射した光は、ほぼ回折されずに透過する。そのため、画像記録媒体４１を観察したとき、ホログラム記録層４３を介して観察される、再生色調整層４５の第１の部分４５ａは、黄色として観察者に知覚される。
【０１９５】
一方、第２の紫外線インクとしては、例えば、黒色の着色剤を含有する紫外線インクが使用され、ホログラム記録層４３の表面に第２の紫外線インクが塗布されることにより、再生色調整層４５の第２の部分４５ｂが形成される。このとき、第２の紫外線インクを構成する材料や第２の部分４５ｂの硬化までの時間が制御されることにより、ホログラム記録層４３に記録されたホログラム画像のうち、再生色調整層４５の第２の部分４５ｂに重なる部分が、カラーシフトを起こす。さらに、カラーシフトの度合いが制御されることにより、ホログラム記録層４３に記録されたホログラム画像のうち、再生色調整層４５の第２の部分４５ｂに重なる部分の再生色と、再生色調整層４５の第１の部分４５ａの色みとが略等しくされる。
【０１９６】
すると、所定の方向からの照明のもとで所定の角度方向から画像記録媒体４１を観察したときに、ホログラム記録層４３に記録されたホログラム画像と、再生色調整層４５の第１の部分４５ａとが、同じ色みの画像として画像記録媒体４１の観察者に知覚される。例えば、図１０Ｂに示す構成例では、所定の方向からの照明のもとで所定の角度方向から画像記録媒体４１を観察すると、画像記録媒体４１の観察者には、数字の配列「１２」が黄色の画像として知覚される。
【０１９７】
図１０Ｃは、画像記録媒体のうち、ホログラム記録層および再生色調整層のみを分離して模式的に示した略線図である。図１０Ｄは、図１０Ｂの状態から視点を変化させた状態で、図１０Ｂに示す画像記録媒体を観察したときに観察される画像の一例を示す図である。例えば、図１０Ｃでは、ホログラム記録層４３のうち、ホログラム画像の記録された部分を白色の領域として示し、ホログラム画像の記録されない部分を、網掛けされた領域として示した。また、図１０Ｃでは、再生色調整層４５の第１の部分４５ａを、斜線を付した領域として示し、再生色調整層４５の第２の部分４５ｂを黒色の領域として示した。
【０１９８】
図１０Ｃにおいて、白色の領域として示したように、ホログラム記録層４３には、例えば、数字の「２」がホログラム画像として記録されている。波長が約５３２ｎｍの緑色レーザにより、ホログラム記録層４３にホログラムの記録が行われた場合、このホログラム画像の「２」は、所定の方向からホログラム記録層４３単体を照明すると、緑色として観察される。
【０１９９】
ところが、ホログラム画像の「２」の記録された領域に隣接して再生色調整層４５の第２の領域４５ｂが配置されるため、カラーシフトの影響により、このホログラム画像の「２」は、例えば、黄色として観察されることになる。そのため、所定の方向からの照明のもとで所定の角度方向から画像記録媒体４１を観察すると、数字の「２」が黄色の画像として観察されることになる。
【０２００】
一方、図１０Ｃにおいて示すように、再生色調整層４５のうち、ホログラム記録層４３に記録された数字の「２」と重ならない部分には、例えば、黄色の着色剤を含有する紫外線インクにより、数字の「１」の形状に第１の部分４５ａが形成されている。また、ホログラム記録層４３のうち、画像記録媒体４１の第１の領域Ｒ１に対応する領域には、ホログラム画像が記録されていない。そのため、所定の方向からの照明のもとで画像記録媒体４１を観察すると、ホログラム記録層４３を介して数字の「１」が黄色の画像として観察されることになる。
【０２０１】
したがって、所定の方向からの照明のもとで所定の角度方向から画像記録媒体４１を観察すると、ホログラム記録層４３に記録された「２」と、再生色調整層４５の第１の部分４５ａから構成される「１」との両方が、画像記録媒体４１の観察者に観察される。すなわち、画像記録媒体４１の観察者は、ホログラム記録層４３に記録されている情報が数字の配列「１２」であると認識することになる。
【０２０２】
このとき、例えば、図１０Ｄに示すように、画像記録媒体４１を観察する視点を変化させると、画像記録媒体４１を観察する角度方向によっては、ホログラム記録層４３からの回折光が観察者の目に届かなくなる。すると、ホログラム記録層４３に記録された「２」のみが見えなくなる。すなわち、画像記録媒体４１の観察者は、ホログラム記録層４３に記録されている情報が数字の「１」のみであると認識することになる。
【０２０３】
このように、画像記録媒体４１を観察する視点を変化させた場合、ある角度範囲を超えると、ホログラム記録層４３に記録されたホログラム画像のみが、画像記録媒体４１の観察者に観察されなくなる。言い換えれば、画像記録媒体４１に記録された画像情報が、観察者の視点によって出現したり消滅したりする。すなわち、第４の実施形態によれば、画像記録媒体を、観察する角度によって画像の変化する記録媒体とすることができる。
【０２０４】
図１１Ａは、画像情報として文字の配列の記録された画像記録媒体の例を示す平面図である。図１１Ｂは、画像記録媒体のうち、ホログラム記録層および再生色調整層のみを分離して模式的に示した略線図である。図１１Ｃは、図１１Ａの状態から視点を変化させた状態で、図１１Ａに示す画像記録媒体を観察したときに観察される画像の一例を示す図である。
【０２０５】
例えば、図１１Ａに示すように、所定の方向からの照明のもとで所定の角度方向から画像記録媒体５１を観察すると、文字の配列「ＢＥ」が観察される。すなわち、画像記録媒体５１においては、ホログラム記録層に記録された画像情報と、再生色調整層のパターニングとの組み合わせにより、文字の配列「ＢＥ」が現されている。
【０２０６】
例えば、再生色調整層５５には、図１１Ｂに示すように、第１の部分５５ａおよび第２の部分５ｂが設けられている。すなわち、画像記録媒体５１においては、文字「Ｂ」および「Ｅ」のそれぞれは、図１１Ｂに示すように、ホログラム記録層５３に記録された画像情報と、再生色調整層５５のパターニングにより現された画像情報との重ね合わせにより表現されている。
【０２０７】
ここで、画像記録媒体５１を観察する視点を変化させると、図１１Ｃに示すように、例えば、画像記録媒体の観察者に観察される画像情報が、「ＢＥ」とは異なる文字の配列「ＰＬ」に変化する。
【０２０８】
このように、ホログラム記録層に記録された画像情報と、再生色調整層のパターニングとを組み合わせて画像情報を表現することにより、画像記録媒体を観察する視点を変化させると、画像情報の一部のみが、あたかも消失するかのような効果を得ることができる。
【０２０９】
図１２Ａは、画像情報として二次元バーコードの記録された画像記録媒体の例を示す平面図である。図１２Ｂは、図１２Ａの状態から視点を変化させた状態で、図１２Ａに示す画像記録媒体を観察したときに観察される画像の一例を示す図である。
【０２１０】
例えば、図１２Ａに示すように、画像記録媒体６１に二次元バーコードなどが記録されてもよい。このとき、画像情報の消失と出現とを組み合わせることにより、所定の方向からの照明のもとで所定の角度方向から画像記録媒体を観察したときにのみ、“正しい”二次元バーコードの画像が観察されるようにしてもよい。
【０２１１】
すなわち、図１２Ａおよび図１２Ｂに示すように、画像記録媒体６１を観察する視点の変化に応じて観察される二次元バーコードが異なるようにしておく。すると、所定の方向からの照明のもとで、所定の読み取り角度から二次元バーコードを読み取らなければ、画像記録媒体６１に記録された二次元バーコードを“正しく”デコードすることができない。したがって、画像記録媒体６１の真贋判定機能が向上する。
【０２１２】
図１１Ａ〜図１１Ｃならびに図１２Ａおよび図１２Ｂでは、視点の変化に応じて、画像記録媒体の観察者に観察される画像情報の一部が消失したように見える例を示したが、画像情報の一部が新たに出現するようにしてもよい。または、画像情報の消失と出現とが組み合わされてもよい。画像情報の消失と出現とを組み合わせることにより、画像記録媒体の観察者に認識される画像が、所定の方向からの照明のもとで所定の角度方向から画像記録媒体を観察したときにのみ、初めて意味をもつ画像となるようにしてもよい。
【０２１３】
このように、第４の実施形態によれば、ホログラムとして記録された画像情報から知覚される再生色と、再生色調整層のパターニングにより現された画像情報の色みとを制御することにより、画像記録媒体の真贋判定機能を向上させることができる。
【０２１４】
＜５．第５の実施形態＞
［５−１．画像記録媒体の概略的構成］
図１３Ａは、本開示の第５の実施形態にかかる画像記録媒体の構成の一例を示す断面図である。図１３Ｂは、本開示の第５の実施形態にかかる画像記録媒体の構成の一例を示す平面図である。図１３Ａは、図１３ＢのXLII−XLII断面に対応する図である。なお、図１３Ａおよび図１３Ｂにおいては、保護層や中間接着層、基材層、接着層、セパレータなどの図示を省略している。以下の説明においても、同様とする。
【０２１５】
図１３Ａに示すように、第５の実施形態にかかる画像記録媒体８１は、ホログラム記録層８３と、再生色調整層８５とを備え、再生色調整層８５の少なくとも一部が、ホログラム記録層８３との界面を有している点で、第１の実施形態と共通する。また、第５の実施形態にかかる画像記録媒体８１は、画像記録媒体８１の観察者に観察される画像において、色みの異なる複数の領域を有している点で、第１の実施形態と共通する。
【０２１６】
図１３Ａおよび図１３Ｂでは、面内における再生色調整層８５の厚さを部分的に異ならせることにより、再生色調整層８５のパターニングがなされる例を示している。すなわち、画像記録媒体８１は、再生色調整層の形成されていない部分に対応する第１の領域Ｒ１、再生色調整層８５に設けられた第１の部分８５ａに対応する第２の領域Ｒ２および第２の部分８５ｂに対応する第３の領域Ｒ３を備えている。図１３Ａに示すように、例えば、再生色調整層８５に設けられた第１の部分８５ａの厚さは、再生色調整層８５に設けられた第２の部分８５ｂの厚さよりも大とされている。言い換えれば、再生色調整層８５は、厚さの異なる複数の部分を備え、再生色調整層８５の断面形状が、凹凸形状とされている。
【０２１７】
第５の実施形態では、ホログラム記録層８３が、可視光領域外の波長帯の光の照射により記録された情報または可視光領域外の波長帯の光の照射により再生される情報を含む点で、第１の実施形態と異なっている。
【０２１８】
図１３Ａおよび図１３Ｂでは、再生色調整層８５の形成前のホログラム記録層８３の全面が、紫外線を拡散反射させる反射型ホログラムとして構成される例を示している。
【０２１９】
すなわち、再生色調整層８５の形成前のホログラム記録層８３に対して可視光を照射しても、再生色調整層８５の形成前のホログラム記録層８３の観察者には、ホログラム記録層８３が透明に見える。一方、再生色調整層８５の形成前のホログラム記録層８３に対して紫外光を照射すると、ホログラム記録層８３に入射した紫外光は、ホログラム記録層８３により拡散反射される。例えば、紫外光の照明のもとでホログラム記録層８３を紫外線カメラにより撮影すると、ホログラム記録層８３の全面が“明るく”見える。
【０２２０】
ここで、ホログラム記録層８３に対して、画像記録媒体８１の観察者とは反対側には、ホログラム記録層８３と隣接して、再生色調整層８５が配置されている。したがって、ホログラム記録層８３のうち、再生色調整層８５に設けられた第１の部分８５ａおよび第２の部分８５ｂと接する部分では、ホログラム記録層８３に複製されたホログラムのカラーシフトが起こる。第１の部分８５ａおよび第２の部分８５ｂと接する部分のカラーシフトの度合いは、第１の部分８５ａおよび第２の部分８５ｂの厚さにそれぞれ依存する。
【０２２１】
例えば、第１の部分８５ａおよび第２の部分８５ｂを構成する材料が、ホログラム記録層８３に対して長波長側へのカラーシフトを発現させる材料であったとする。すると、白色光を照射したときのホログラム記録層８３からの回折光の波長が可視光領域まで偏移することにより、画像記録媒体８１の観察者は、再生色調整層８５のパターンに応じた画像を認識することができる。
【０２２２】
例えば、図１３Ｂでは、第２の領域Ｒ２が、文字「Ｂ」の形状とされ、第３の領域Ｒ３が、文字「Ｃ」の形状とされた例を示している。画像記録媒体８１の観察者が第２の領域Ｒ２から知覚する再生色は、例えば、赤色とされ、第３の領域Ｒ３から知覚する再生色は、例えば、緑色とされる。なお、図１３Ｂでは、所定の方向からの照明のもとで観察したときに赤色に見える領域を、交差線の付された領域として示し、所定の方向からの照明のもとで観察したときに緑色に見える領域を、斜線の付された領域として示した。
【０２２３】
なお、第１の領域Ｒ１のみに注目すると、第１の領域Ｒ１は、照射された紫外光を拡散反射させることから、ホログラム記録層８３には、可視光領域外の波長帯の光の照射により再生される情報が含まれるということができる。言い換えれば、ホログラム記録層８３には、可視光領域外の波長帯の光を拡散反射させるという情報（信号）が記録されているといえる。
【０２２４】
［５−２．画像記録媒体の製造方法の一例］
図１３Ｃおよび図１３Ｄならびに図１４Ａおよび図１４Ｂは、第５の実施形態にかかる画像記録媒体の製造方法の一例の説明に使用する略線図である。
【０２２５】
図１３Ｃに示すように、まず、紫外線を拡散反射させる反射型ホログラムの記録されたホログラム記録層８３を用意する。なお、ホログラム記録層８３を、紫外線を拡散反射させる反射型ホログラムとするには、次のようにすればよい。
【０２２６】
例えば、紫外光を拡散反射させる拡散板に紫外レーザ光を照射し、その拡散光と拡散前の光との干渉パターンをホログラム記録媒体に記録することにより、オリジナル原版を作成する。次に、作成したオリジナル原版を用いて、ホログラム記録層８３に対して紫外レーザ光でコンタクトコピーを行うことにより、紫外線を拡散反射させる反射型ホログラムの記録されたホログラム記録層８３を得ることができる。
【０２２７】
次に、図１３Ｄに示すように、ホログラム記録層８３の表面に対して、再生色調整層８５を構成する材料が塗布される。再生色調整層８５を構成する材料は、例えば、着色剤を含有しない紫外線インクである。
【０２２８】
ホログラム記録層８３の表面に再生色調整層８５を構成する材料が塗布されることにより、図１４Ａに示すように、ホログラムのカラーシフトが起こる。
【０２２９】
すなわち、紫外線インクの塗布された領域における、白色光を照射したときのホログラム記録層８３からの回折光の波長は、例えば、紫外域から可視光領域まで偏移する。言い換えれば、ホログラム記録層８３における、再生色調整層８５の形成される部分に対応する領域が、可視光の照射により認識可能なホログラム領域に変化する。
【０２３０】
図１４Ａでは、第２の領域Ｒ２が、文字「Ｂ」の形状とされ、第３の領域Ｒ３が、文字「Ｃ」の形状とされた例を示している。白色光の照明のもとにおいては第１の領域は透明であるが、第２の領域Ｒ２および第３の領域ではホログラムのカラーシフトが発現しているため、ホログラム記録層８３の観察者は、第２の領域Ｒ２の形状および第３の領域Ｒ３の形状を認識することができる。
【０２３１】
ホログラム記録層８３への紫外線インクの塗布の直後における、第２の領域Ｒ２から知覚される再生色は、例えば、黄色であり、第３の領域Ｒ３から知覚される再生色は、例えば、青色である。なお、図１４Ａでは、所定の方向からの照明のもとで観察したときに黄色に見える領域を、斜線の付された領域として示し、所定の方向からの照明のもとで観察したときに青色に見える領域を、網掛け領域として示した。
【０２３２】
次に、ホログラム記録層８３の表面に塗布された紫外線インクに対して紫外線が照射され、紫外線インクが硬化する。紫外線インクの硬化により、ホログラムのカラーシフトの進行が止まり、したがって、ホログラムが“色留め”される。第２の領域Ｒ２および第３の領域Ｒ３のそれぞれにおけるホログラムのカラーシフトの度合いは、例えば、紫外線インクの塗布量を制御することにより、個別に制御することが可能である。
【０２３３】
その後、接着層の形成などの工程を経て、図１４Ｂに示す画像記録媒体８１が得られる。なお、再生色調整層８５が、面内で再生色調整層８５を構成する材料の配置されない部分を含む場合には、ホログラム記録層８３と、中間接着層または接着層との間にブロッキング層が配置されることが好ましい。
【０２３４】
［５−３．画像記録媒体の第１の変形例］
図１４Ｃは、所定の角度方向からの紫外光の照明のもとにおいて、本開示の第５の実施形態にかかる画像記録媒体の第１の変形例から再生される画像の一例を示す平面図である。
【０２３５】
画像記録媒体９１は、紫外線を拡散反射させる反射型ホログラムの記録されたホログラム記録層を備える点で、上述した画像記録媒体８１と共通する。画像記録媒体９１におけるホログラム記録層は、紫外線を拡散反射させる反射型ホログラムの記録されない領域を含む点で、上述した画像記録媒体８１と異なっている。
【０２３６】
図１４Ｃに示すように、画像記録媒体９１におけるホログラム記録層には、紫外線を拡散反射させない領域ＲＰが形成されている。図１４Ｃでは、領域ＲＰが、文字「Ａ」の形状とされた例を示している。なお、図１４Ｃでは、紫外光が拡散反射される領域を白色の領域として示した。
【０２３７】
領域ＲＰは紫外光に対して“透明な”領域である。したがって、画像記録媒体９１に対して紫外光を照射すると、画像記録媒体９１の第１の領域Ｒ１においては、紫外光が拡散反射する。すると、例えば、紫外光の照明のもとで画像記録媒体９１を紫外線カメラにより撮影すると、第２の領域Ｒ２、第３の領域Ｒ３および領域ＲＰが“暗く”見えることとなり、画像記録媒体９１の観察者は、領域ＲＰの形状に応じた画像を認識することができる。すなわち、画像記録媒体９１を、紫外光の照明のもとで紫外線カメラなどにより撮影されなければ可視化されない隠し文字などの記録された記録媒体とすることができる。
【０２３８】
［５−４．画像記録媒体の第２の変形例］
図１５Ａは、本開示の第５の実施形態にかかる画像記録媒体の第２の変形例を示す断面図である。図１５Ｂおよび図１５Ｃは、本開示の第５の実施形態にかかる画像記録媒体の第２の変形例を示す平面図である。図１５Ａは、図１５Ｂおよび図１５ＣのXLIX−XLIX断面に対応する図である。
【０２３９】
画像記録媒体１０１は、紫外線を拡散反射させる反射型ホログラムの記録されたホログラム記録層を備える点で、上述した画像記録媒体８１と共通する。画像記録媒体１０１は、再生色調整層１０５を構成する材料が、着色剤を含有する点で、上述した画像記録媒体８１と異なっている。
【０２４０】
図１５Ａに示すように、画像記録媒体１０１は、紫外線を拡散反射させる反射型ホログラムの記録されたホログラム記録層１０３を備えている。図１５Ａ〜図１５Ｃでは、ホログラム記録層１０３には絵柄が記録されておらず、ホログラム記録層１０３の全面が、紫外線を拡散反射させる反射型ホログラムとして構成された例を示している。
【０２４１】
図１５Ａに示すように、画像記録媒体１０１には、ホログラム記録層１０３と隣接して、再生色調整層１０５が配置されている。再生色調整層１０５は、例えば、着色剤を含有する第１の紫外線インクにより形成された第１の部分１０５ａおよび着色剤を含有する第２の紫外線インクにより形成された第２の部分１０５ｂから構成される。したがって、画像記録媒体１０１は、第１の紫外線インクにより形成された第１の部分１０５ａおよび第２の紫外線インクにより形成された第２の部分１０５ｂに対応して、第１の領域Ｒ１および第２の領域Ｒ２を備えている。ここでは、第１の紫外線インクに含有された着色剤の色みと、第２の紫外線インクに含有された着色剤の色みとが相異なる色みであるものとする。
【０２４２】
再生色調整層１０５の形成に際してホログラム記録層１０３の表面に第１の紫外線インクおよび第２の紫外線インクが塗布されることにより、ホログラム記録層１０３においては、ホログラムのカラーシフトが発現する。
【０２４３】
ホログラムのカラーシフトの進行は、第１の紫外線インクおよび第２の紫外線インクの硬化の完了により停止する。本例では、白色光を照射したときのホログラム記録層１０３からの回折光の波長が可視光領域となるまで、ホログラムのカラーシフトが進行させられる。さらに、本例では、第１の領域Ｒ１におけるカラーシフトの度合いと第２の領域Ｒ２におけるカラーシフトの度合いとが、ほぼ同じ程度に揃えられる。
【０２４４】
図１５Ａでは、第１の部分１０５ａおよび第２の部分１０５ｂの厚さが同じものであるとしたが、例えば、第１の部分１０５ａの厚さおよび第２の部分１０５ｂの厚さは、それぞれ個別に調整することが可能である。
【０２４５】
なお、例えば、インクジェット印刷の方式が適用される場合、ホログラム記録層１０３に対する第１の紫外線インクの滴下量および第２の紫外線インクの滴下量がそれぞれ制御される。ホログラム記録層１０３に対する第１の紫外線インクの滴下量および第２の紫外線インクの滴下量がそれぞれ制御されることにより、第１の部分１０５ａの厚さおよび第２の部分１０５ｂの厚さは、それぞれ個別に制御される。第１の部分１０５ａの厚さおよび第２の部分１０５ｂの厚さを、それぞれ個別に制御することにより、第１の領域Ｒ１におけるカラーシフトの度合いと第２の領域Ｒ２におけるカラーシフトの度合いとを、ほぼ同じ程度に揃えることが可能である。
【０２４６】
なお、あるドットをインクジェット印刷の方式により着色し、着色した部分またはホログラム記録層１０３の全面に透明な紫外線インクをさらに滴下または塗布することにより、ホログラムのカラーシフトの度合いを調整するようにしてもよい。この場合、ホログラムのカラーシフトの度合いは、透明な紫外線インクの滴下量または塗布量により調節することが可能である。
【０２４７】
または、例えば、第１の部分１０５ａの硬化までの時間および第２の部分１０５ｂの硬化までの時間を個別に管理し、第１の領域Ｒ１および第２の領域Ｒ２におけるカラーシフトの度合いをコントロールするようにしてもよい。
【０２４８】
図１５Ｂは、画像記録媒体１０１から観察される画像の一例を示している。図１５Ｃは、所定の角度方向からの白色光の照明のもとにおいて、画像記録媒体１０１から観察される画像の一例を示している。図１５Ｂおよび図１５Ｃでは、第１の領域Ｒ１を、右上がりの斜線の付された領域として示し、第２の領域Ｒ２を、右下がりの斜線の付された領域として示した。
【０２４９】
上述したように、画像記録媒体１０１は、白色光を照射したときのホログラム記録層１０３からの回折光の波長が可視光領域となるように、ホログラムのカラーシフトがコントロールされている。
【０２５０】
したがって、通常、画像記録媒体１０１の観察者には、図１５Ｂに示すように、ホログラム記録層１０３を介して、第１の部分１０５ａ自体の色および第２の部分１０５ｂ自体の色が観察される。その一方で、画像記録媒体１０１が所定の角度方向からの白色光により照明されると、入射光の特定の波長成分が、ホログラム記録層１０３により特定の角度方向により強く回折される。すなわち、画像記録媒体１０１を所定の角度方向から白色光により照明すると、画像記録媒体１０１の観察者は、再生色調整層１０５の色みとホログラム記録層１０３からの回折光から知覚される再生色とが混色（加法混色）された色みを知覚することになる。なお、図１５Ｃでは、再生色調整層１０５の色みとホログラム記録層１０３からの回折光から知覚される再生色とが混色された色みを、斜線および網掛けにより示した。
【０２５１】
したがって、第５の実施形態によれば、画像記録媒体を、照明により色みの変化する記録媒体とすることもできる。第５の実施形態によれば、ホログラムに対するセキュリティ性の向上だけでなく、印刷物や製品の筺体の加飾性を向上させて、画像記録媒体の適用される製品などの意匠性を高めることができる。例えば、再生色調整層の形成にインクジェット印刷などの方式を適用することにより、ディザリングなどの表現を行うことも可能である。
【０２５２】
［５−５．画像記録媒体の応用例］
図１６Ａ〜図１６Ｃは、本開示の実施形態にかかる画像記録媒体が適用されたパーソナルコンピュータを示す斜視図である。
【０２５３】
図１６Ａに示すように、パーソナルコンピュータ１２１は、例えば、表示部１２５を備える上部筺体１２３ｔと、複数のキーなどが配置された入力部１２７を備える下部筺体１２３ｂとからなる筺体１２３を備えている。表示部１２５は、例えば、液晶ディスプレイ（Liquid Crystal Display（ＬＣＤ））や有機ＥＬ(Electroluminescence:電界発光効果)ディスプレイなどの表示装置である。上部筺体１２３ｔと、下部筺体１２３ｂとは、例えば、ヒンジにより接続され、下部筺体１２３ｂに対して上部筺体１２３ｔが開閉自在とされる。
【０２５４】
図１６Ｂおよび図１６Ｃに示すように、例えば、パーソナルコンピュータ１２１の上部筺体１２３ｔには、上述した画像記録媒体１０１と略同様の構成を備える画像記録媒体１１１が配置されている。図１６Ｂおよび図１６Ｃでは、幾何学的な模様状にパターニングされた再生色調整層を備える画像記録媒体１１１の例を示した。
【０２５５】
画像記録媒体１１１は、例えば、接着層を備えるホログラムシールとして構成され、上部筺体１２３ｔに貼りつけられている。または、画像記録媒体１１１は、例えば、いわゆるインサート成形の手法により、上部筺体１２３ｔと一体とされている。ここで、インサート成形とは、埋め込みの対象を金型の内側にあらかじめ配置しておき、埋め込みの対象を溶融樹脂で包み込むことにより、樹脂と埋め込みの対象とが一体化された複合材を得る手法である。
【０２５６】
通常の状態では、図１６Ｂに示すように、画像記録媒体１１１からは、ホログラム記録層を介してパターニングされた再生色調整層自体の色みが観察される。
【０２５７】
ここで、上部筺体１２３ｔが所定の角度方向からの白色光により照明されると、入射光の特定の波長成分は、画像記録媒体１１１のホログラム記録層により、特定の角度方向により強く回折させられる。したがって、パーソナルコンピュータ１２１の所有者は、上部筺体１２３ｔの外観の著しい変化を楽しむことができる。
【０２５８】
このように、第５の実施形態によれば、パーソナルコンピュータなどの機器類の意匠性を向上させ、該機器類の商品価値を高めることができる。
【０２５９】
なお、上述の説明では、紫外レーザ光によりホログラフィックに情報の記録されたホログラム記録層に対して、長波長側へのカラーシフトを発現させる構成例を示したが、短波長側へのカラーシフトを発現させるようにしてもよい。例えば、赤外レーザ光を用い、ホログラム記録層を、赤外線を拡散反射させる反射型ホログラムとしておき、ホログラム記録層に対して短波長側へのカラーシフトを発現させればよい。
【０２６０】
また、例えば、波長が約５３２ｎｍの緑色レーザを用い、ホログラム記録層を、波長が５３２ｎｍの波長に近い光を強く拡散反射させる反射型ホログラムとしておいてもよい。この場合、再生色調整層の形成により、紫外領域または赤外領域へのホログラムのカラーシフトを発現させて、例えば、ホログラムのカラーシフトを発現させた領域からは、白色光の照明によっては、ホログラムが認識できないようにすることもできる。
【実施例】
【０２６１】
以下、実施例により本開示を具体的に説明するが、本開示はこれらの実施例のみに限定されるものではない。
【０２６２】
以下の実施例においては、紫外線インクにより再生色調整層を形成し、ホログラム記録層への紫外線インクの塗布から紫外線インクに対する紫外線の照射までの時間を変化させ、画像記録媒体から再生される画像の再生色の変化を測定した。なお、画像記録媒体の輝度および色度の測定を行い、画像記録媒体から再生される画像の再生色を求めた。また、三種類の紫外線インクを準備し、紫外線インクの違いによる、画像記録媒体から再生される画像の再生色の変化を測定した。
【０２６３】
［評価サンプルの製作］
（サンプル１−１）
まず、ポリエチレンテレフタレートからなる樹脂シートを準備した。次に、ポリエチレンテレフタレートの樹脂シートの一主面上に光重合型フォトポリマを塗布し、ホログラム記録層を形成した。
【０２６４】
次に、全面が白色とされた白色板を拡散板として用い、波長５３２ｎｍのレーザ光によりホログラム露光することにより、オリジナル原版を作成した。次に、コンタクトコピーにより、オリジナル原版のホログラムをホログラム記録層に複製した。コンタクトコピーには、波長５３２ｎｍのレーザ光を用いた。次に、ホログラム記録層に対して紫外線の照射を行い、記録画像の定着を行った。
【０２６５】
次に、紫外線インクを９μｍの厚さでホログラム記録層の表面に塗布し、塗布された紫外線インクに対して、ただちに紫外線の照射を行った。紫外線インクが硬化することにより、ホログラム記録層の一主面上に再生色調整層の形成された画像記録媒体が得られた。再生色調整層の形成に用いた紫外線インクおよび紫外線の照射条件を以下に示す。
紫外線インク・・・ＤＩＣ株式会社製  黒色インク（５８２ＣＤ）
照射条件：紫外線強度・・・１２０［Ｗ／ｃｍ2］
積算光量・・・５００［ｍＪ／ｃｍ2］
【０２６６】
上述した手順により、サンプル１−１の画像記録媒体を得た。
【０２６７】
（サンプル１−２）
ホログラム記録層の表面への紫外線インクの塗布から１５秒後に、塗布された紫外線インクに対して紫外線の照射を行ったこと以外はサンプル１−１の場合と同様にして、サンプル１−２の画像記録媒体を得た。
【０２６８】
（サンプル１−３）
ホログラム記録層の表面への紫外線インクの塗布から３０秒後に、塗布された紫外線インクに対して紫外線の照射を行ったこと以外はサンプル１−１の場合と同様にして、サンプル１−３の画像記録媒体を得た。
【０２６９】
（サンプル１−４）
ホログラム記録層の表面への紫外線インクの塗布から４５秒後に、塗布された紫外線インクに対して紫外線の照射を行ったこと以外はサンプル１−１の場合と同様にして、サンプル１−４の画像記録媒体を得た。
【０２７０】
（サンプル１−５）
ホログラム記録層の表面への紫外線インクの塗布から６０秒後に、塗布された紫外線インクに対して紫外線の照射を行ったこと以外はサンプル１−１の場合と同様にして、サンプル１−５の画像記録媒体を得た。
【０２７１】
（サンプル１−６）
ホログラム記録層の表面への紫外線インクの塗布から７５秒後に、塗布された紫外線インクに対して紫外線の照射を行ったこと以外はサンプル１−１の場合と同様にして、サンプル１−６の画像記録媒体を得た。
【０２７２】
（サンプル１−７）
ホログラム記録層の表面への紫外線インクの塗布から９０秒後に、塗布された紫外線インクに対して紫外線の照射を行ったこと以外はサンプル１−１の場合と同様にして、サンプル１−７の画像記録媒体を得た。
【０２７３】
（サンプル１−８）
ホログラム記録層の表面への紫外線インクの塗布から１８０秒後に、塗布された紫外線インクに対して紫外線の照射を行ったこと以外はサンプル１−１の場合と同様にして、サンプル１−８の画像記録媒体を得た。
【０２７４】
（サンプル２−１）
紫外線インクとして、以下のインクを使用したこと以外はサンプル１−１の場合と同様にして、サンプル２−１の画像記録媒体を得た。
紫外線インク・・・十条ケミカル株式会社製  黒色インク（ＵＭ４６００−２、Ｎｏ．４６９０黒）
【０２７５】
（サンプル２−２）
ホログラム記録層の表面への紫外線インクの塗布から１５秒後に、塗布された紫外線インクに対して紫外線の照射を行ったこと以外はサンプル２−１の場合と同様にして、サンプル２−２の画像記録媒体を得た。
【０２７６】
（サンプル２−３）
ホログラム記録層の表面への紫外線インクの塗布から３０秒後に、塗布された紫外線インクに対して紫外線の照射を行ったこと以外はサンプル２−１の場合と同様にして、サンプル２−３の画像記録媒体を得た。
【０２７７】
（サンプル２−４）
ホログラム記録層の表面への紫外線インクの塗布から４５秒後に、塗布された紫外線インクに対して紫外線の照射を行ったこと以外はサンプル２−１の場合と同様にして、サンプル２−４の画像記録媒体を得た。
【０２７８】
（サンプル２−５）
ホログラム記録層の表面への紫外線インクの塗布から６０秒後に、塗布された紫外線インクに対して紫外線の照射を行ったこと以外はサンプル２−１の場合と同様にして、サンプル２−５の画像記録媒体を得た。
【０２７９】
（サンプル３−１）
紫外線インクとして、以下のインクを使用したこと以外はサンプル１−１の場合と同様にして、サンプル３−１の画像記録媒体を得た。
紫外線インク・・・十条ケミカル株式会社製  黒色インク（ＲＣ−ＳＬ６１００、メジウム（medium））
【０２８０】
（サンプル３−２）
ホログラム記録層の表面への紫外線インクの塗布から１５秒後に、塗布された紫外線インクに対して紫外線の照射を行ったこと以外はサンプル３−１の場合と同様にして、サンプル３−２の画像記録媒体を得た。
【０２８１】
（サンプル３−３）
ホログラム記録層の表面への紫外線インクの塗布から３０秒後に、塗布された紫外線インクに対して紫外線の照射を行ったこと以外はサンプル３−１の場合と同様にして、サンプル３−３の画像記録媒体を得た。
【０２８２】
［評価方法］
以下に示す測定方法により、サンプル１−１〜サンプル１−８、サンプル２−１〜サンプル２−５およびサンプル３−１〜サンプル３−３のそれぞれについての輝度および色度を測定した。この測定で使用した色彩輝度計および光源を以下に示す。なお、測定試料および色彩輝度計を結ぶ線分と測定試料の表面にたてた法線とのなす角度を０°、測定試料と色彩輝度計との間の距離を３００ｍｍに設定した。測定試料および光源を結ぶ線分と測定試料の表面にたてた法線とのなす角度を４５°に設定した。
色彩輝度計…ＣＳ−２０００（コニカミノルタセンシング株式会社製）
ハロゲン照明…「ＭＥＧＡＬＩＧＨＴ１００（ショット日本株式会社の登録商標）」（ショット日本株式会社製）
【０２８３】
［測定結果］
サンプル１−１〜サンプル１−８の輝度および色度の測定結果、サンプル２−１〜サンプル２−５の輝度および色度の測定ならびにサンプル３−１〜サンプル３−３の輝度および色度の測定結果を、下記の表１、表２および表３にそれぞれ示す。なお、表１、表２および表３における、ＹおよびＣはそれぞれ輝度および色度を表し、Ｙａｖｅ、ＣｘａｖｅおよびＣｙａｖｅは、測定により得られたＹ、ｘ、ｙの平均値をそれぞれ表している。また、表１、表２および表３におけるδＴ［ｓｅｃ］は、ホログラム記録層への紫外線インクの塗布から紫外線インクに対する紫外線の照射までの時間を表している。
【０２８４】
【表１】
2013160785.tif 000003
【０２８５】
【表２】
2013160785.tif 000004
【０２８６】
【表３】
2013160785.tif 000005
【０２８７】
図１７Ａおよび図１７Ｂに、サンプル１−１〜サンプル１−８の輝度および色度の測定結果を示す。図１８Ａおよび図１８Ｂに、サンプル２−１〜サンプル２−５の輝度および色度の測定結果を示す。図１９Ａおよび図１９Ｂに、サンプル３−１〜サンプル３−３の輝度および色度の測定結果を示す。
【０２８８】
図１７Ａは、サンプル１−１〜サンプル１−８の輝度Ｙの測定値をそれぞれ示すグラフであり、図１７Ｂは、サンプル１−１〜サンプル１−８の色度の測定結果に対応する点を、ＣＩＥ（国際照明委員会：Commission Internationale d'Eclairage）が定めるＹｘｙ表色系の色度図上に示した図である。図１８Ａは、サンプル２−１〜サンプル２−５の輝度Ｙの測定値をそれぞれ示すグラフであり、図１８Ｂは、サンプル２−１〜サンプル２−５の色度の測定結果に対応する点を、ＣＩＥが定めるＹｘｙ表色系の色度図上に示した図である。図１９Ａは、サンプル３−１〜サンプル３−３の輝度Ｙの測定値をそれぞれ示すグラフであり、図１９Ｂは、サンプル３−１〜サンプル３−３の色度の測定結果に対応する点を、ＣＩＥが定めるＹｘｙ表色系の色度図上に示した図である。なお、図１７Ｂ、図１８Ｂおよび図１９Ｂにおける領域Ｒｇは、知覚される再生色が略緑色の領域を示し、領域Ｒｙは、知覚される再生色が略黄色の領域を示している。図１７Ａおよび図１７Ｂ、図１８Ａおよび図１８Ｂならびに図１９Ａおよび図１９Ｂにおいては、必要に応じて、同じサンプルに対して輝度および色度の測定を２回ずつ行い、得られた２つの測定値の算術平均を測定値として示している。
【０２８９】
図１７Ｂおよび表１に示すように、ホログラム記録層の一主面上に紫外線インクを塗布することにより、ホログラムのカラーシフトを発現できることがわかった。また、ホログラムのカラーシフトの度合いは、ホログラム記録層への紫外線インクの塗布から紫外線インクに対する紫外線の照射までの時間が長いほど、大きくなることがわかった。すなわち、ホログラム記録層への紫外線インクの塗布から紫外線インクに対する紫外線の照射までの時間を制御することにより、ホログラムのカラーシフトの度合いを制御できることがわかった。
【０２９０】
図１７Ｂおよび表１に示す結果と、図１８Ｂおよび図１９Ｂならびに表２および表３に示す結果と比較すると、紫外線インクを構成する材料により、ホログラムのカラーシフトの進行の速さが異なることもわかった。すなわち、紫外線インクを構成する材料を適宜選択することにより、ホログラムのカラーシフトの度合いを制御できることがわかった。
【０２９１】
以上に説明したように、本開示によれば、画像記録媒体の観察者とは反対の側に、ホログラム記録層に隣接して再生色調整層を配置することにより、ホログラムのカラーシフトを発生させることができる。また、再生色調整層の硬化までの時間を制御することにより、ホログラムのカラーシフトの度合いを制御することもできる。すなわち、ホログラム記録層への画像情報の記録後において、画像記録媒体から観察される再生像の再生色を、オリジナル原版からのホログラム画像の複製時に使用した波長に対応する色みとは異なった色みとすることができる。さらに、パターニングされた再生色調整層を形成することにより、オリジナル原版からのホログラム画像の複製時に使用される光源が単一の波長であっても、画像記録媒体から観察される再生像の再生色を、複数の領域ごとに異なったものとすることができる。
【０２９２】
このように、本開示によれば、ホログラムのカラーシフトおよびその度合いが制御されるので、画像記録媒体のコピープロテクションの機能を向上することができる。
【０２９３】
＜６．変形例＞
以上、好適な実施形態について説明してきたが、好適な具体例は、上述した例に限定されるものではなく、各種の変形が可能である。
【０２９４】
本開示の画像記録媒体には、例えば、付加情報として、シリアル番号や一次元バーコード、二次元バーコードのほか、製造者名、ロット番号などに関する画像情報を記録することもできる。また、例えば、再生色調整層のパターニングにより、画像記録媒体の製造者のロゴなどを再生色調整層に現すこともできる。
【０２９５】
本開示の画像記録媒体は、例えば、商品の包装、非接触ＩＣ（integrated circuit）カード、ＩＤカード（identification card）、銀行カード、クレジットカード、社員証、学生証、定期券、運転免許証、外国旅券、ビザ、証券、通帳、印紙、切手、携帯電話、貨幣、宝くじなどにも使用できる。または、例えば、本開示の画像記録媒体は、未開封の証明、遊技機などの機器改造禁止箇所の封印、重要書類の封印、食品や薬品への異物混入防止などを目的として使用することもできる。
【０２９６】
上述した第５の実施形態では、画像記録媒体を備えるパーソナルコンピュータの例を示したが、画像記録媒体の応用は、この例に限られない。本開示の画像記録媒体は、例えば、携帯電話やスマートフォン、電子書籍、オーディオプレーヤ、タブレット型パーソナルコンピュータ、携帯情報端末（personal digital assistance（ＰＤＡ））、電子辞書、電子手帳、テレビジョン受像機など、あらゆる電子機器に適用が可能である。さらに、本開示の画像記録媒体は、これらの電子機器の筺体だけでなく、例えば、表示部に配置することももちろん可能である。
【０２９７】
なお、上述の実施形態において挙げた構成、方法、形状、工程、材料および数値などはあくまでも例に過ぎず、必要に応じてこれと異なる構成、方法、形状、工程、材料および数値などを用いてもよい。上述の実施形態の構成、方法、形状、工程、材料および数値などは、本開示の主旨を逸脱しない限り、互いに組み合わせることが可能である。
【０２９８】
例えば、本開示は以下のような構成もとることができる。
（１）
屈折率変調により情報の記録されたホログラム記録層と、
少なくとも一部に前記ホログラム記録層との界面を有する再生色調整層と
を備える画像記録媒体。
（２）
前記再生色調整層が、放射線硬化樹脂層である（１）に記載の画像記録媒体。
（３）
前記放射線硬化樹脂層が、紫外線硬化樹脂層である（２）に記載の画像記録媒体。
（４）
前記ホログラム記録層が、可視光領域外の波長帯の光の照射により再生される情報を含む（１）ないし（３）のいずれか１項に記載の画像記録媒体。
（５）
前記再生色調整層が、パターニングのされた層である（１）ないし（４）のいずれか１項に記載の画像記録媒体。
（６）
前記ホログラム記録層と前記再生色調整層との間の剥離強度の差によりパターニングがなされる（５）に記載の画像記録媒体。
（７）
前記ホログラム記録層に対して、前記再生色調整層の配置される側とは反対側に配置される保護層をさらに備え、
前記ホログラム記録層の破断強度に対して、前記ホログラム記録層と前記再生色調整層との間の剥離強度が小とされるとともに、前記保護層と前記ホログラム記録層との間の剥離強度が大とされる第１の領域と、
前記ホログラム記録層の破断強度に対して、前記ホログラム記録層と前記再生色調整層との間の剥離強度が大とされるとともに、前記保護層と前記ホログラム記録層との間の剥離強度が小とされる第２の領域と
を備える（６）に記載の画像記録媒体。
（８）
前記再生色調整層の有無によりパターニングがなされる（５）に記載の画像記録媒体。
（９）
前記再生色調整層に対して、前記ホログラム記録層の配置される側とは反対側に配置される貼合層をさらに備え、
前記ホログラム記録層の少なくとも一部が、前記貼合層と接する（８）に記載の画像記録媒体。
（１０）
前記再生色調整層が、着色剤を含有する（１）ないし（９）のいずれか１項に記載の画像記録媒体。
【符号の説明】
【０２９９】
１，２１，３１，４１，５１，６１，８１，９１，１０１，１１１・・・画像記録媒体
３,４３，５３，８３，１０３・・・ホログラム記録層
５，２５，３５，４５，５５，８５，１０５・・・再生色調整層
７・・・保護層
９・・・中間接着層
１２１・・・パーソナルコンピュータ
【図１】
2013160785.tif 000006
【図２】
2013160785.tif 000007
【図３】
2013160785.tif 000008
【図４】
2013160785.tif 000009
【図５】
2013160785.tif 000010
【図６】
2013160785.tif 000011
【図７】
2013160785.tif 000012
【図８】
2013160785.tif 000013
【図９】
2013160785.tif 000014
【図１０】
2013160785.tif 000015
【図１１】
2013160785.tif 000016
【図１２】
2013160785.tif 000017
【図１３】
2013160785.tif 000018
【図１４】
2013160785.tif 000019
【図１５】
2013160785.tif 000020
【図１６】
2013160785.tif 000021
【図１７】
2013160785.tif 000022
【図１８】
2013160785.tif 000023
【図１９】
2013160785.tif 000024